(57)【要約】【課題】コンテンツがどの程度、視聴者によって視聴されているか、その視聴状況を効果的に測定する視聴データ提供システムを提供する。【解決手段】視聴データ収集システムは、コンテンツを受信及び再生する手段と、ユーザによる端末への操作内容を示す機器操作情報を記録する手段と、コンテンツの再生時における、機器操作情報に示されるユーザの操作内容に基づいて、ユーザがコンテンツを視聴したか否かを判断し、その判断結果を視聴データとして記録する手段とを有する。視聴データ収集システムは、複数の端末に対するユーザの操作内容に基づいて、ユーザによるコンテンツの視聴可否を判断し、判断結果を視聴データとして記録する。視聴データ収集システムは、収集した視聴データに基づき、複数のユーザの視聴傾向に応じて、コンテンツの視聴を促すリコメンド情報を配信する。【選択図】図８
2016066924.tif 000002
【特許請求の範囲】
【請求項１】
通信装置およびサーバ装置を含み、前記通信装置と前記サーバ装置とが通信網を介して接続される視聴データ収集システムであって、
前記通信装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置に対するユーザの操作内容を示す機器操作情報を生成し、生成された前記機器操作情報を前記サーバ装置へ送信するように構成された送信部とを備え、
前記サーバ装置は、
記憶部と、
前記通信装置から前記通信網を介して前記機器操作情報を受信するように構成された第２の通信部と、
前記サーバ装置の動作を制御するように構成された制御部とを備え、
前記制御部は、
前記機器操作情報に示される、前記放送波の受信時における前記ユーザの操作内容に基づいて、前記ユーザが前記放送波に示される放送番組を視聴したか否かを判断する判断処理部を含み、
前記判断処理部による判断結果を示す視聴データを前記記憶部により記憶するように構成されている、視聴データ収集システム。
【請求項２】
前記通信装置の前記放送波受信部は、受信している放送波のチャネル情報を取得するように構成されており、
前記送信部は、前記放送波の前記チャネル情報と、前記機器操作情報とを前記サーバ装置へ送信するよう構成されており、
前記サーバ装置の前記第２の通信部は、前記機器操作情報と、前記チャネル情報とを受信するように構成されており、
前記制御部は、前記機器操作情報に基づく前記判断処理部の判断結果と、前記機器操作情報に示される操作がなされた時の前記チャネル情報とを対応付けて前記視聴データとして前記記憶部に記憶させるよう構成されている、請求項１に記載の視聴データ収集システム。
【請求項３】
前記サーバ装置は、複数の前記通信装置と前記通信網を介して接続し、
前記サーバ装置の前記第２の通信部は、複数の前記通信装置からそれぞれ前記機器操作情報を受信し、
前記判断処理部は、複数の各前記通信装置から受信する前記機器操作情報に基づいて、各前記通信装置のユーザが前記放送波に示される放送番組を視聴したか否かを前記通信装置それぞれについて判断し、
前記制御部は、各前記通信装置についての判断結果を示す前記視聴データを前記記憶部に記憶させるように構成されており、
前記制御部は、さらに、
前記視聴データに基づいて、前記複数の通信装置のユーザのうち前記放送波に示される放送番組を視聴している割合を算出し、算出結果を視聴割合データとして前記記憶部に記憶させるデータ解析部を含む、請求項１に記載の視聴データ収集システム。
【請求項４】
前記サーバ装置の前記第２の通信部は、複数の前記通信装置からそれぞれ前記機器操作情報と前記チャネル情報とを受信し、
前記判断処理部は、複数の各前記通信装置から受信する前記機器操作情報に基づいて、各前記通信装置のユーザが前記チャネル情報に示される前記放送波の放送番組を視聴したか否かを前記通信装置それぞれについて判断し、
前記制御部は、各前記通信装置についての判断結果と、各前記通信装置で受信した前記チャネル情報とを対応付けて前記視聴データとして前記記憶部に記憶させるように構成されており、
前記制御部は、さらに、
前記視聴データに基づいて、前記放送波の各チャネルの視聴割合の分布と、前記放送波の各チャネルそれぞれについて、前記複数の通信装置のユーザのうち前記チャネルを視聴している割合とを算出し、算出結果を視聴割合データとして前記記憶部に記憶させるデータ解析部を含む、請求項２に記載の視聴データ収集システム。
【請求項５】
通信装置およびサーバ装置を含み、前記通信装置と前記サーバ装置とが通信網を介して接続される視聴データ収集システムにおける前記サーバ装置であって、
記憶部と、
前記通信装置に対するユーザの操作内容を示す機器操作情報を、前記通信装置から前記通信網を介して受信するように構成された通信部と、
前記サーバ装置の動作を制御するように構成された制御部とを備え、
前記制御部は、
前記機器操作情報に示される、前記放送波の受信時における前記ユーザの操作内容に基づいて、前記ユーザが前記放送波に示される放送番組を視聴したか否かを判断する判断処理部を含み、
前記判断処理部による判断結果を示す視聴データを前記記憶部により記憶するように構成されている、サーバ装置。
【請求項６】
通信装置およびサーバ装置を含み、前記通信装置と前記サーバ装置とが通信網を介して接続される視聴データ収集システムにおける通信装置であって、
前記サーバ装置は、
前記通信装置に対するユーザの操作内容を示す機器操作情報を、前記通信装置から前記通信網を介して受信するように構成された第２の通信部と、
前記サーバ装置の動作を制御するように構成された制御部とを備え、
前記制御部は、
前記機器操作情報に示される、前記放送波の受信時における前記ユーザの操作内容に基づいて、前記ユーザが前記放送波を視聴したか否かを判断する判断処理部を含み、
前記判断処理部による判断結果を示す視聴データを前記記憶部により記憶するように構成されており、
前記通信装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置に対するユーザの操作内容を示す前記機器操作情報を生成し、生成された前記機器操作情報を前記サーバ装置へ送信するように構成された送信部とを備える、通信装置。
【請求項７】
通信装置およびサーバ装置を含み、前記通信装置と前記サーバ装置とが通信網を介して接続される視聴データ収集システムであって、
前記通信装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置の動作を制御するように構成された第１の制御部とを備え、
前記第１の制御部は、
前記放送波の受信時における前記通信装置に対するユーザの操作内容を示す機器操作情報を生成し、生成された前記機器操作情報に基づいて、前記ユーザが前記放送波に示される放送番組を視聴したか否かを判断する判断処理部と、
前記判断処理部による判断結果を示す視聴データを前記サーバ装置へ送信する送信部とを含み、
前記サーバ装置は、
記憶部と、
前記通信装置から前記通信網を介して前記視聴データを受信するように構成された第２の通信部と、
前記受信した前記視聴データを前記記憶部により記憶するように構成された第２の制御部とを備える、視聴データ収集システム。
【請求項８】
通信装置およびサーバ装置を含み、前記通信装置と前記サーバ装置とが通信網を介して接続される視聴データ収集システムにおける前記通信装置であって、
放送波を受信するように構成された放送波受信部と、
前記受信する前記放送波に示される放送番組を表示するように構成された表示部と、
前記通信網を介して前記サーバ装置と通信するように構成された通信部と、
前記通信装置の動作を制御するように構成された制御部とを備え、
前記制御部は、
前記放送波の受信時における前記通信装置に対するユーザの操作内容を示す機器操作情報を生成し、生成された前記機器操作情報に基づいて、前記ユーザが前記放送波に示される放送番組を視聴したか否かを判断する判断処理部と、
前記判断処理部による判断結果を示す視聴データを前記サーバ装置へ送信する送信部とを含む、通信装置。
【請求項９】
通信装置およびサーバ装置を含み、前記通信装置と前記サーバ装置とが通信網を介して接続される視聴データ収集システムにおける前記サーバ装置であって、
前記通信装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置の動作を制御するように構成された第１の制御部とを備え、
前記第１の制御部は、
前記放送波の受信時における前記通信装置に対するユーザの操作内容を示す機器操作情報を生成し、生成された前記機器操作情報に基づいて、前記ユーザが前記放送波に示される放送番組を視聴したか否かを判断する判断処理部と、
前記判断処理部による判断結果を示す視聴データを前記サーバ装置へ送信する送信部とを含み、
前記サーバ装置は、
記憶部と、
前記通信装置から前記通信網を介して前記視聴データを受信するように構成された第２の通信部と、
前記受信した前記視聴データを前記記憶部により記憶するように構成された第２の制御部とを備える、サーバ装置。
【請求項１０】
通信装置、提供装置、およびサーバ装置を含み、前記提供装置と前記サーバ装置とが通信網を介して接続される視聴データ収集システムであって、
前記通信装置は、
前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記機器操作情報を前記通信装置から受信するように構成された第２の通信部と、
前記提供装置の動作を制御するように構成された第１の制御部とを備え、
前記第１の制御部は、
前記放送波の受信時における前記通信装置に対するユーザの操作内容を示す前記機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第３の通信部と、
前記受信した前記視聴データを前記記憶部により記憶するように構成された第２の制御部とを備える、視聴データ収集システム。
【請求項１１】
通信装置、提供装置、およびサーバ装置を含み、前記提供装置と前記サーバ装置とが通信網を介して接続される視聴データ収集システムにおける前記提供装置であって、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置に対するユーザの操作内容を示す機器操作情報を前記通信装置から受信するように構成された第２の通信部と、
前記提供装置の動作を制御するように構成された制御部とを備え、
前記制御部は、
前記放送波の受信時における前記通信装置に対するユーザの操作内容を示す前記機器操作情報を前記第２の通信部により受信し、受信した前記機器操作情報に基づいて、前記ユーザが前記放送波を視聴したか否かを判断する判断処理部と、
前記判断処理部による判断結果を示す視聴データを前記サーバ装置へ送信する送信部とを含む、提供装置。
【請求項１２】
通信装置、提供装置、およびサーバ装置を含み、前記提供装置と前記サーバ装置とが通信網を介して接続される視聴データ収集システムにおける前記通信装置であって、
前記提供装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記通信装置に対するユーザの操作内容を示す機器操作情報を前記通信装置から受信するように構成された第２の通信部と、
前記提供装置の動作を制御するように構成された制御部とを備え、
前記制御部は、
前記放送波の受信時における前記通信装置に対するユーザの操作内容を示す前記機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記通信装置は、
前記通信装置に対するユーザの操作内容を示す前記機器操作情報を生成し、生成された前記機器操作情報を前記提供装置へ送信するように構成された第１の送信部を備える、通信装置。
【請求項１３】
通信装置、提供装置、およびサーバ装置を含み、前記提供装置と前記サーバ装置とが通信網を介して接続される視聴データ収集システムにおける前記サーバ装置であって、
前記通信装置は、
前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記通信網を介して前記サーバ装置と通信するように構成された第１の通信部と、
前記機器操作情報を前記通信装置から受信するように構成された第２の通信部と、
前記提供装置の動作を制御するように構成された第１の制御部とを備え、
前記第１の制御部は、
前記放送波の受信時における前記通信装置に対するユーザの操作内容を示す前記機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第３の通信部と、
前記受信した前記視聴データを前記記憶部により記憶するように構成された第２の制御部とを備える、サーバ装置。
【請求項１４】
通信装置、提供装置、表示装置、およびサーバ装置を含み、前記提供装置と前記サーバ装置とが通信網を介して接続される視聴データ収集システムであって、
前記通信装置は、
前記通信装置に対するユーザの操作内容を示す機器操作情報を生成し、生成された前記機器操作情報を前記提供装置へ送信するように構成された第１の送信部を備え、
前記表示装置は、
放送波を受信するように構成された放送波受信部と、
前記受信する前記放送波に示される放送番組を表示するように構成された表示部とを備え、
前記提供装置は、
前記通信網を介して前記サーバ装置と通信するように構成された第１の通信部と、
前記機器操作情報を前記通信装置から受信するように構成された第２の通信部と、
前記提供装置の動作を制御するように構成された第１の制御部とを備え、
前記第１の制御部は、
前記放送波の受信時における前記通信装置に対するユーザの操作内容を示す前記機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第３の通信部と、
前記受信した前記視聴データを前記記憶部により記憶するように構成された第２の制御部とを備える、視聴データ収集システム。
【請求項１５】
通信装置、提供装置、表示装置、およびサーバ装置を含み、前記提供装置と前記サーバ装置とが通信網を介して接続される視聴データ収集システムにおける前記提供装置であって、
前記表示装置は、
放送波を受信するように構成された放送波受信部と、
前記受信する前記放送波に示される放送番組を表示するように構成された表示部とを備え、
前記提供装置は、
前記通信網を介して前記サーバ装置と通信するように構成された第１の通信部と、
前記機器操作情報を前記通信装置から受信するように構成された第２の通信部と、
前記提供装置の動作を制御するように構成された制御部とを備え、
前記制御部は、
前記放送波の受信時における前記通信装置に対するユーザの操作内容を示す機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する送信部とを含む、提供装置。
【請求項１６】
通信装置、提供装置、表示装置、およびサーバ装置を含み、前記提供装置と前記サーバ装置とが通信網を介して接続される視聴データ収集システムにおける前記通信装置であって、
前記表示装置は、
放送波を受信するように構成された放送波受信部と、
前記受信する前記放送波に示される放送番組を表示するように構成された表示部とを備え、
前記提供装置は、
前記通信網を介して前記サーバ装置と通信するように構成された第１の通信部と、
前記機器操作情報を前記通信装置から受信するように構成された第２の通信部と、
前記提供装置の動作を制御するように構成された第１の制御部とを備え、
前記第１の制御部は、
前記放送波の受信時における前記通信装置に対するユーザの操作内容を示す機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第３の通信部と、
前記受信した前記視聴データを前記記憶部により記憶するように構成された第２の制御部とを備え、
前記通信装置は、
前記通信装置に対するユーザの操作内容を示す機器操作情報を生成し、生成された前記機器操作情報を前記提供装置へ送信するように構成された第１の送信部を備える、通信装置。
【請求項１７】
通信装置、提供装置、表示装置、およびサーバ装置を含み、前記提供装置と前記サーバ装置とが通信網を介して接続される視聴データ収集システムにおける前記サーバ装置であって、
前記通信装置は、
前記通信装置に対するユーザの操作内容を示す機器操作情報を生成し、生成された前記機器操作情報を前記提供装置へ送信するように構成された第１の送信部を備え、
前記表示装置は、
放送波を受信するように構成された放送波受信部と、
前記受信する前記放送波に示される放送番組を表示するように構成された表示部とを備え、
前記提供装置は、
前記通信網を介して前記サーバ装置と通信するように構成された第１の通信部と、
前記機器操作情報を前記通信装置から受信するように構成された第２の通信部と、
前記提供装置の動作を制御するように構成された第１の制御部とを備え、
前記第１の制御部は、
前記放送波の受信時における前記通信装置に対するユーザの操作内容を示す前記機器操作情報を前記第２の通信部により受信し、受信した前記機器操作情報に基づいて、前記ユーザが前記放送波の放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第３の通信部と、
前記受信した前記視聴データを前記記憶部により記憶するように構成された第２の制御部とを備える、サーバ装置。
【請求項１８】
通信装置、提供装置、およびサーバ装置を含み、前記提供装置と前記サーバ装置とが通信網を介して接続される視聴データ収集システムであって、
前記通信装置は、
前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記放送波の受信時における前記通信装置に対するユーザの操作内容を示す前記機器操作情報を前記通信装置から受信するように構成された第１の通信部と、
前記受信した前記機器操作情報を前記サーバ装置へ送信するように構成された第２の送信部とを含み、
前記サーバ装置は、
記憶部と、
前記提供装置から前記通信網を介して前記機器操作情報を受信するように構成された第２の通信部と、
前記サーバ装置の動作を制御する制御部とを備え、
前記制御部は、
前記機器操作情報に示される前記放送波の受信時における前記ユーザの操作内容に基づいて、前記ユーザが前記放送波の放送番組を視聴したか否かを判断する判断処理部を含み、
前記判断処理部による判断結果を示す視聴データを前記記憶部により記憶するように構成されている、視聴データ収集システム。
【請求項１９】
通信装置、提供装置、およびサーバ装置を含み、前記提供装置と前記サーバ装置とが通信網を介して接続される視聴データ収集システムにおける前記サーバ装置であって、
前記通信装置は、
前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記放送波の受信時における前記通信装置に対するユーザの操作内容を示す前記機器操作情報を前記通信装置から受信するように構成された第１の通信部と、
前記受信した前記機器操作情報を前記サーバ装置へ送信するように構成された第２の送信部とを含み、
前記サーバ装置は、
記憶部と、
前記提供装置から前記通信網を介して前記機器操作情報を受信するように構成された第２の通信部と、
前記サーバ装置の動作を制御する制御部とを備え、
前記制御部は、
前記機器操作情報に示される前記放送波の受信時における前記ユーザの操作内容に基づいて、前記ユーザが前記放送波の放送番組を視聴したか否かを判断する判断処理部を含み、
前記判断処理部による判断結果を示す視聴データを前記記憶部により記憶するように構成されている、サーバ装置。
【請求項２０】
通信装置、提供装置、およびサーバ装置を含み、前記提供装置と前記サーバ装置とが通信網を介して接続される視聴データ収集システムにおける前記通信装置であって、
前記提供装置は、
放送波を受信するように構成された放送波受信部と、
前記受信する前記放送波に示される放送番組を表示するように構成された表示部と、
前記放送波の受信時における前記通信装置に対するユーザの操作内容を示す機器操作情報を前記通信装置から受信するように構成された第１の通信部と、
前記受信した前記機器操作情報を前記サーバ装置へ送信するように構成された第２の送信部とを含み、
前記サーバ装置は、
記憶部と、
前記提供装置から前記通信網を介して前記機器操作情報を受信するように構成された第２の通信部と、
前記サーバ装置の動作を制御する制御部とを備え、
前記制御部は、
前記機器操作情報に示される前記放送波の受信時における前記ユーザの操作内容に基づいて、前記ユーザが前記放送波を視聴したか否かを判断する判断処理部を含み、
前記判断処理部による判断結果を示す視聴データを前記記憶部により記憶するように構成されており、
前記通信装置は、
前記通信装置に対するユーザの操作内容を示す前記機器操作情報を生成し、生成された前記機器操作情報を前記提供装置へ送信するように構成された第１の送信部を備える、通信装置。
【請求項２１】
通信装置、提供装置、およびサーバ装置を含み、前記提供装置と前記サーバ装置とが通信網を介して接続される視聴データ収集システムにおける前記提供装置であって、
前記通信装置は、
前記通信装置に対するユーザの操作内容を示す機器操作情報を生成し、生成された前記機器操作情報を前記提供装置へ送信するように構成された第１の送信部を備え、
前記サーバ装置は、
記憶部と、
前記提供装置から前記通信網を介して前記機器操作情報を受信するように構成された第２の通信部と、
前記サーバ装置の動作を制御する制御部とを備え、
前記制御部は、
前記機器操作情報に示される前記放送波の受信時における前記ユーザの操作内容に基づいて、前記ユーザが前記放送波の放送番組を視聴したか否かを判断する判断処理部を含み、
前記判断処理部による判断結果を示す視聴データを前記記憶部により記憶するように構成されており、
前記提供装置は、
放送波を受信するように構成された放送波受信部と、
前記受信する前記放送波に示される放送番組を表示するように構成された表示部と、
前記放送波の受信時における前記通信装置に対するユーザの操作内容を示す前記機器操作情報を前記通信装置から受信するように構成された第１の通信部と、
前記受信した前記機器操作情報を前記サーバ装置へ送信するように構成された第２の送信部とを含む、提供装置。
【請求項２２】
複数の通信装置、提供装置、およびサーバ装置を含み、前記提供装置と前記サーバ装置とが通信網を介して接続される視聴データ収集システムであって、
前記複数の通信装置の各々は、
各前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記複数の通信装置それぞれに対するユーザの操作内容を示す前記機器操作情報を、前記複数の通信装置それぞれから受信するように構成された第１の通信部と、
前記提供装置の動作を制御するように構成された第１の制御部とを備え、
前記第１の制御部は、
前記複数の通信装置それぞれから受信した、前記放送波の受信時における前記機器操作情報に基づいて、前記ユーザが前記放送波に示される放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第２の通信部と、
前記受信した前記視聴データを前記記憶部により記憶するように構成された第２の制御部とを備える、視聴データ収集システム。
【請求項２３】
前記第１の制御部の前記判断処理部は、前記機器操作情報において、ユーザが前記通信装置を操作した場合に、前記ユーザが前記放送波の放送番組を視聴したと判断し、前記通信装置を操作していない場合に、前記ユーザが前記放送波の放送番組を視聴していないと判断する、請求項２２記載の視聴データ収集システム。
【請求項２４】
前記第１の制御部の前記判断処理部は、前記機器操作情報において、ユーザが前記通信装置を操作していない場合に、前記ユーザが前記放送波の放送番組を視聴したと判断し、前記通信装置を操作した場合に、前記ユーザが前記放送波の放送番組を視聴していないと判断する、請求項２２記載の視聴データ収集システム。
【請求項２５】
前記第１の制御部の前記判断処理部は、前記複数の通信装置それぞれの前記機器操作情報に基づいて、前記放送波の放送番組の視聴可否の判断を前記複数の通信装置それぞれについて行い、各通信装置の前記機器操作情報に対応する前記視聴可の判断結果の数および視聴不可の判断結果の数との比較により、前記ユーザが前記放送波の放送番組を視聴したか否かを判断する、請求項２２記載の視聴データ収集システム。
【請求項２６】
前記第１の制御部の前記判断処理部は、前記複数の通信装置それぞれの前記機器操作情報に基づいて、前記放送波の視聴可否の判断を前記複数の通信装置それぞれについて行い、各通信装置の前記機器操作情報に対応する前記視聴可否の判断結果を、各通信装置について重みづけをし、前記重みづけ後の各通信装置についての前記視聴可否の判断結果に基づいて、前記ユーザが前記放送波の放送番組を視聴したか否かを判断する、請求項２２記載の視聴データ収集システム。
【請求項２７】
複数の通信装置、提供装置、およびサーバ装置を含み、前記提供装置と前記サーバ装置とが通信網を介して接続される視聴データ収集システムにおける前記提供装置であって、
前記複数の通信装置の各々は、
各前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記複数の通信装置それぞれに対するユーザの操作内容を示す前記機器操作情報を、前記複数の通信装置それぞれから受信するように構成された第１の通信部と、
前記提供装置の動作を制御するように構成された制御部とを備え、
前記制御部は、
前記複数の通信装置それぞれから受信した、前記放送波の受信時における前記機器操作情報に基づいて、前記ユーザが前記放送波に示される放送番組を視聴したか否かを判断する判断処理部と、
前記判断処理部による判断結果を示す視聴データを前記サーバ装置へ送信する第２の送信部とを含む、提供装置。
【請求項２８】
複数の通信装置、提供装置、およびサーバ装置を含み、前記提供装置と前記サーバ装置とが通信網を介して接続される視聴データ収集システムにおける前記複数の通信装置であって、
前記提供装置は、
放送波を受信するように構成された放送波受信部と、
前記受信する前記放送波に示される放送番組を表示するように構成された表示部と、
前記複数の通信装置それぞれに対するユーザの操作内容を示す前記機器操作情報を、前記複数の通信装置それぞれから受信するように構成された通信部と、
前記提供装置の動作を制御するように構成された制御部とを備え、
前記制御部は、
前記複数の通信装置それぞれから受信した、前記放送波の受信時における前記機器操作情報に基づいて、前記ユーザが前記放送波に示される放送番組を視聴したか否かを判断する判断処理部と、
前記判断処理部による判断結果を示す視聴データを前記サーバ装置へ送信する第２の送信部とを含み、
前記複数の通信装置の各々は、
各前記通信装置に対するユーザの操作内容を示す機器操作情報を生成し、生成された前記機器操作情報を前記提供装置へ送信するように構成された第１の送信部を備える、通信装置。
【請求項２９】
複数の通信装置、提供装置、およびサーバ装置を含み、前記提供装置と前記サーバ装置とが通信網を介して接続される視聴データ収集システムにおける前記サーバ装置であって、
前記複数の通信装置の各々は、
各前記通信装置に対するユーザの操作内容を示す機器操作情報を生成し、生成された前記機器操作情報を前記提供装置へ送信するように構成された第１の送信部を備え、
前記提供装置は、
放送波を受信するように構成された放送波受信部と、
前記受信する前記放送波に示される放送番組を表示するように構成された表示部と、
前記複数の通信装置それぞれに対するユーザの操作内容を示す前記機器操作情報を、前記複数の通信装置それぞれから受信するように構成された第１の通信部と、
前記提供装置の動作を制御するように構成された第１の制御部とを備え、
前記第１の制御部は、
前記複数の通信装置それぞれから受信した、前記放送波の受信時における前記機器操作情報に基づいて、前記ユーザが前記放送波に示される放送番組を視聴したか否かを判断する判断処理部と、
前記判断処理部による判断結果を示す視聴データを前記サーバ装置へ送信する第２の送信部とを含み、
前記サーバ装置は、
記憶部と、
前記提供装置から前記通信網を介して前記視聴データを受信するように構成された第２の通信部と、
前記受信した前記視聴データを前記記憶部により記憶するように構成された第２の制御部とを備える、サーバ装置。
【請求項３０】
前記提供装置の前記第２の送信部は、前記視聴データと、前記提供装置の識別情報とを前記サーバ装置へ送信するよう構成されており、
前記サーバ装置の前記第２の通信部は、複数の前記提供装置から、前記視聴データと、前記提供装置の識別情報とを受信するように構成されており、
前記第２の制御部は、前記提供装置の識別情報と、前記視聴データとを対応付けて前記記憶部に記憶させ、
さらに、前記視聴データに基づいて、各前記提供装置における番組の視聴傾向を解析し、解析された前記視聴傾向に基づいて、各前記提供装置に対し、視聴すべき番組の情報を通知する情報配信部を含む、請求項２２記載の視聴データ収集システム。
【請求項３１】
前記提供装置の前記第２の送信部は、前記視聴データと、前記ユーザの識別情報とを前記サーバ装置へ送信するよう構成されており、
前記サーバ装置の前記第２の通信部は、複数の前記提供装置から、前記視聴データと、前記ユーザの識別情報とを受信するように構成されており、
前記第２の制御部は、前記ユーザの識別情報と、前記視聴データとを対応付けて記憶し、
さらに、１以上の前記ユーザの前記視聴データに基づいて、前記ユーザの番組の視聴傾向を解析し、解析された前記視聴傾向に基づいて、各前記提供装置に対し、視聴すべき番組の情報を通知する情報配信部を含む、請求項２２記載の視聴データ収集システム。
【請求項３２】
前記サーバ装置の前記第２の通信部は、各前記ユーザの前記通信装置または前記提供装置の少なくともいずれかから、他のユーザの識別情報を指定した指定情報を受信し、
前記サーバ装置の前記記憶部は、前記ユーザそれぞれが指定した前記指定情報をユーザ管理情報として記憶し、
前記情報配信部は、前記ユーザの識別情報に基づいて、前記ユーザの番組の視聴傾向を解析し、解析された前記視聴傾向に基づいて、視聴すべき番組の情報を、前記ユーザが前記指定情報により指定したユーザの前記通信装置または前記提供装置の少なくともいずれかへ通知する、請求項３１記載の視聴データ収集システム。
【請求項３３】
前記サーバ装置の前記第２の通信部は、各前記ユーザの前記通信装置または前記提供装置の少なくともいずれかから、前記放送番組についてのメッセージ情報を受信し、
前記サーバ装置の前記第２の制御部は、前記ユーザの識別情報と、前記視聴データとを対応付けて記憶し、前記各ユーザの前記メッセージ情報を記憶するよう構成されている、請求項３１記載の視聴データ収集システム。
【請求項３４】
前記サーバ装置の前記情報配信部は、
１以上の前記ユーザの前記メッセージ情報に基づいて、前記ユーザの番組の視聴傾向を解析し、解析された前記視聴傾向に基づいて、各前記提供装置または各前記ユーザの通信装置の少なくともいずれかに対し、視聴すべき番組の情報を通知する、請求項３３記載の視聴データ収集システム。
【発明の詳細な説明】
【技術分野】
【０００１】
本開示は、テレビ放送などのコンテンツを視聴している視聴者の視聴状況を収集するための視聴データ収集システムに関し、特に、視聴者がコンテンツを視聴していることをより詳細に収集するための技術に関する。
【背景技術】
【０００２】
近年、情報通信技術の発展に伴って、テレビジョン放送などのコンテンツを視聴するための機器が広く普及している。例えば、視聴者は、ワンセグ受信機能を備えた携帯電話機、タブレット端末、ラップトップ型のＰＣ（Personal  Computer）、デジタル放送を受信可能なテレビ受信機、表示装置とともに使用されるＳＴＢ（Set  Top  Box）などを利用して、例えば放送局等から送信される映像コンテンツを視聴することができる。
【０００３】
これらテレビジョン放送などのコンテンツは、配信事業者によって視聴者に配信される。コンテンツを視聴する視聴者の数が多いほど、配信事業者によって広告を配信するスポンサーにとっては、広告を配信する価値が高まると考えられている。例えば、スポンサーにとっては、コンテンツの視聴状況を把握することで、広告を配信するか否かを決定するための判断材料を得ることができる。また、コンテンツを制作する番組制作会社などの制作事業者にとっても、コンテンツの視聴状況を把握することで、例えば、制作したコンテンツの商業的な価値を推定すること、より創作的価値の高いコンテンツ制作のためのフィードバックを得られること等の利点がある。
【０００４】
従来から、テレビジョン放送では視聴率の調査が行われており、このような視聴率の調査に加えて、視聴者がどの程度、集中して番組を見ているかという、より詳細な視聴情報を取得するために、様々な技術が検討されている。例えば、特開２００３−１１１１０６号公報（特許文献１）は、視聴者に生体センサを装着して視聴者の生体情報を計測し、生体センサからの生体情報の変化の状態から、視聴者の視聴対象に対する集中度を判定することで、視聴者の実際の視聴状況（興味の度合い等）を調べることができる技術を記載している。
【先行技術文献】
【特許文献】
【０００５】
【特許文献１】特開２００３−１１１１０６号公報
【発明の概要】
【発明が解決しようとする課題】
【０００６】
特許文献１に記載された技術によると、生体情報の変化による視聴者の集中度を利用して、視聴者の実際の視聴状況を判定している。しかし、視聴者が集中していることと、生体情報の変化とに相関が成り立たないことがあり、その結果、視聴者の実際の視聴状況を収集しているとは言えない場合があり得る。例えば、視聴者の体質によっても生体情報の計測結果が異なり得ること、生体情報が変化していなくても視聴者が集中していることがある。
【０００７】
したがって、コンテンツがどの程度、視聴者によって視聴されているか、その視聴状況を効果的に測定する別の技術が必要とされている。
【課題を解決するための手段】
【０００８】
一実施形態によると、視聴データ収集システムが提供される。視聴データ収集システムは、通信装置およびサーバ装置を含み、通信装置とサーバ装置とが通信網を介して接続される。通信装置は、放送波を受信するように構成された放送波受信部と、受信する放送波に示される放送番組を表示するように構成された表示部と、通信網を介してサーバ装置と通信するように構成された第１の通信部と、通信装置に対するユーザの操作内容を示す機器操作情報を生成し、生成された機器操作情報をサーバ装置へ送信するように構成された送信部とを備える。サーバ装置は、記憶部と、通信装置から通信網を介して機器操作情報を受信するように構成された第２の通信部と、サーバ装置の動作を制御するように構成された制御部とを備える。制御部は、機器操作情報に示される、放送波の受信時におけるユーザの操作内容に基づいて、ユーザが放送波に示される放送番組を視聴したか否かを判断する判断処理部を含み、判断処理部による判断結果を示す視聴データを記憶部により記憶するように構成されている。
【０００９】
別の実施形態に従うと、通信装置およびサーバ装置を含み、通信装置とサーバ装置とが通信網を介して接続される視聴データ収集システムにおけるサーバ装置が提供される。サーバ装置は、記憶部と、通信装置に対するユーザの操作内容を示す機器操作情報を、通信装置から通信網を介して受信するように構成された通信部と、サーバ装置の動作を制御するように構成された制御部とを備える。制御部は、機器操作情報に示される、放送波の受信時におけるユーザの操作内容に基づいて、ユーザが放送波に示される放送番組を視聴したか否かを判断する判断処理部を含み、判断処理部による判断結果を示す視聴データを記憶部により記憶するように構成されている。
【００１０】
別の実施形態に従うと、通信装置およびサーバ装置を含み、通信装置とサーバ装置とが通信網を介して接続される視聴データ収集システムにおける通信装置が提供される。サーバ装置は、通信装置に対するユーザの操作内容を示す機器操作情報を、通信装置から通信網を介して受信するように構成された第２の通信部と、サーバ装置の動作を制御するように構成された制御部とを備える。制御部は、機器操作情報に示される、放送波の受信時におけるユーザの操作内容に基づいて、ユーザが放送波を視聴したか否かを判断する判断処理部を含み、判断処理部による判断結果を示す視聴データを記憶部により記憶するように構成されている。通信装置は、放送波を受信するように構成された放送波受信部と、受信する放送波に示される放送番組を表示するように構成された表示部と、通信網を介してサーバ装置と通信するように構成された第１の通信部と、通信装置に対するユーザの操作内容を示す機器操作情報を生成し、生成された機器操作情報をサーバ装置へ送信するように構成された送信部とを備える。
【００１１】
別の実施形態に従うと、通信装置およびサーバ装置を含み、通信装置とサーバ装置とが通信網を介して接続される視聴データ収集システムが提供される。通信装置は、放送波を受信するように構成された放送波受信部と、受信する放送波に示される放送番組を表示するように構成された表示部と、通信網を介してサーバ装置と通信するように構成された第１の通信部と、通信装置の動作を制御するように構成された第１の制御部とを備える。第１の制御部は、放送波の受信時における通信装置に対するユーザの操作内容を示す機器操作情報を生成し、生成された機器操作情報に基づいて、ユーザが放送波に示される放送番組を視聴したか否かを判断する判断処理部と、判断処理部による判断結果を示す視聴データをサーバ装置へ送信する送信部とを含む。サーバ装置は、記憶部と、通信装置から通信網を介して視聴データを受信するように構成された第２の通信部と、受信した視聴データを記憶部により記憶するように構成された第２の制御部とを備える。
【００１２】
別の実施形態に従うと、通信装置およびサーバ装置を含み、通信装置とサーバ装置とが通信網を介して接続される視聴データ収集システムにおける通信装置が提供される。通信装置は、放送波を受信するように構成された放送波受信部と、受信する放送波に示される放送番組を表示するように構成された表示部と、通信網を介してサーバ装置と通信するように構成された通信部と、通信装置の動作を制御するように構成された制御部とを備える。制御部は、放送波の受信時における通信装置に対するユーザの操作内容を示す機器操作情報を生成し、生成された機器操作情報に基づいて、ユーザが放送波に示される放送番組を視聴したか否かを判断する判断処理部と、判断処理部による判断結果を示す視聴データをサーバ装置へ送信する送信部とを含む。
【００１３】
別の実施形態に従うと、通信装置およびサーバ装置を含み、通信装置とサーバ装置とが通信網を介して接続される視聴データ収集システムにおけるサーバ装置が提供される。通信装置は、放送波を受信するように構成された放送波受信部と、受信する放送波に示される放送番組を表示するように構成された表示部と、通信網を介してサーバ装置と通信するように構成された第１の通信部と、通信装置の動作を制御するように構成された第１の制御部とを備える。第１の制御部は、放送波の受信時における通信装置に対するユーザの操作内容を示す機器操作情報を生成し、生成された機器操作情報に基づいて、ユーザが放送波に示される放送番組を視聴したか否かを判断する判断処理部と、判断処理部による判断結果を示す視聴データをサーバ装置へ送信する送信部とを含む。サーバ装置は、記憶部と、通信装置から通信網を介して視聴データを受信するように構成された第２の通信部と、受信した視聴データを記憶部により記憶するように構成された第２の制御部とを備える。
【００１４】
別の実施形態に従うと、通信装置、提供装置、およびサーバ装置を含み、提供装置とサーバ装置とが通信網を介して接続される視聴データ収集システムが提供される。通信装置は、通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、通信網を介してサーバ装置と通信するように構成された第１の通信部と、機器操作情報を通信装置から受信するように構成された第２の通信部と、提供装置の動作を制御するように構成された第１の制御部とを備える。第１の制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第３の通信部と、受信した視聴データを記憶部により記憶するように構成された第２の制御部とを備える。
【００１５】
別の実施形態に従うと、通信装置、提供装置、およびサーバ装置を含み、提供装置とサーバ装置とが通信網を介して接続される視聴データ収集システムにおける提供装置が提供される。提供装置は、放送波を受信するように構成された放送波受信部と、受信する放送波に示される放送番組を表示するように構成された表示部と、通信網を介してサーバ装置と通信するように構成された第１の通信部と、通信装置に対するユーザの操作内容を示す機器操作情報を通信装置から受信するように構成された第２の通信部と、提供装置の動作を制御するように構成された制御部とを備える。制御部は、放送波の受信時における通信装置に対するユーザの操作内容を示す機器操作情報を第２の通信部により受信し、受信した機器操作情報に基づいて、ユーザが放送波を視聴したか否かを判断する判断処理部と、判断処理部による判断結果を示す視聴データをサーバ装置へ送信する送信部とを含む。
【００１６】
別の実施形態に従うと、通信装置、提供装置、およびサーバ装置を含み、提供装置とサーバ装置とが通信網を介して接続される視聴データ収集システムにおける通信装置が提供される。提供装置は、放送波を受信するように構成された放送波受信部と、受信する放送波に示される放送番組を表示するように構成された表示部と、通信網を介してサーバ装置と通信するように構成された第１の通信部と、通信装置に対するユーザの操作内容を示す機器操作情報を通信装置から受信するように構成された第２の通信部と、提供装置の動作を制御するように構成された制御部とを備える。制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。通信装置は、通信装置に対するユーザの操作内容を示す機器操作情報を生成し、生成された機器操作情報を提供装置へ送信するように構成された第１の送信部を備える。
【００１７】
別の実施形態に従うと、通信装置、提供装置、およびサーバ装置を含み、提供装置とサーバ装置とが通信網を介して接続される視聴データ収集システムにおけるサーバ装置が提供される。通信装置は、通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、通信網を介してサーバ装置と通信するように構成された第１の通信部と、機器操作情報を通信装置から受信するように構成された第２の通信部と、提供装置の動作を制御するように構成された第１の制御部とを備える。第１の制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第３の通信部と、受信した視聴データを記憶部により記憶するように構成された第２の制御部とを備える。
【００１８】
別の実施形態に従うと、通信装置、提供装置、表示装置、およびサーバ装置を含み、提供装置とサーバ装置とが通信網を介して接続される視聴データ収集システムが提供される。通信装置は、通信装置に対するユーザの操作内容を示す機器操作情報を生成し、生成された機器操作情報を提供装置へ送信するように構成された第１の送信部を備える。表示装置は、放送波を受信するように構成された放送波受信部と、受信する放送波に示される放送番組を表示するように構成された表示部とを備える。提供装置は、通信網を介してサーバ装置と通信するように構成された第１の通信部と、機器操作情報を通信装置から受信するように構成された第２の通信部と、提供装置の動作を制御するように構成された第１の制御部とを備える。第１の制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第３の通信部と、受信した視聴データを記憶部により記憶するように構成された第２の制御部とを備える。
【００１９】
別の実施形態に従うと、通信装置、提供装置、表示装置、およびサーバ装置を含み、提供装置とサーバ装置とが通信網を介して接続される視聴データ収集システムにおける提供装置が提供される。表示装置は、放送波を受信するように構成された放送波受信部と、受信する放送波に示される放送番組を表示するように構成された表示部とを備える。提供装置は、通信網を介してサーバ装置と通信するように構成された第１の通信部と、機器操作情報を通信装置から受信するように構成された第２の通信部と、提供装置の動作を制御するように構成された制御部とを備える。制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する送信部とを含む。
【００２０】
別の実施形態に従うと、通信装置、提供装置、表示装置、およびサーバ装置を含み、提供装置とサーバ装置とが通信網を介して接続される視聴データ収集システムにおける通信装置が提供される。表示装置は、放送波を受信するように構成された放送波受信部と、受信する放送波に示される放送番組を表示するように構成された表示部とを備える。提供装置は、通信網を介してサーバ装置と通信するように構成された第１の通信部と、機器操作情報を通信装置から受信するように構成された第２の通信部と、提供装置の動作を制御するように構成された第１の制御部とを備える。第１の制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第３の通信部と、受信した視聴データを記憶部により記憶するように構成された第２の制御部とを備える。通信装置は、通信装置に対するユーザの操作内容を示す機器操作情報を生成し、生成された機器操作情報を提供装置へ送信するように構成された第１の送信部を備える。
【００２１】
別の実施形態に従うと、通信装置、提供装置、表示装置、およびサーバ装置を含み、提供装置とサーバ装置とが通信網を介して接続される視聴データ収集システムにおけるサーバ装置が提供される。通信装置は、通信装置に対するユーザの操作内容を示す機器操作情報を生成し、生成された機器操作情報を提供装置へ送信するように構成された第１の送信部を備える。表示装置は、放送波を受信するように構成された放送波受信部と、受信する放送波に示される放送番組を表示するように構成された表示部とを備える。提供装置は、通信網を介してサーバ装置と通信するように構成された第１の通信部と、機器操作情報を通信装置から受信するように構成された第２の通信部と、提供装置の動作を制御するように構成された第１の制御部とを備える。第１の制御部は、放送波の受信時における通信装置に対するユーザの操作内容を示す機器操作情報を第２の通信部により受信し、受信した機器操作情報に基づいて、ユーザが放送波の放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第３の通信部と、受信した視聴データを記憶部により記憶するように構成された第２の制御部とを備える。
【００２２】
別の実施形態に従うと、通信装置、提供装置、およびサーバ装置を含み、提供装置とサーバ装置とが通信網を介して接続される視聴データ収集システムが提供される。通信装置は、通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、放送波の受信時における通信装置に対するユーザの操作内容を示す機器操作情報を通信装置から受信するように構成された第１の通信部と、受信した機器操作情報をサーバ装置へ送信するように構成された第２の送信部とを含む。サーバ装置は、記憶部と、提供装置から通信網を介して機器操作情報を受信するように構成された第２の通信部と、サーバ装置の動作を制御する制御部とを備える。制御部は、機器操作情報に示される放送波の受信時におけるユーザの操作内容に基づいて、ユーザが放送波の放送番組を視聴したか否かを判断する判断処理部を含み、判断処理部による判断結果を示す視聴データを記憶部により記憶するように構成されている。
【００２３】
別の実施形態に従うと、通信装置、提供装置、およびサーバ装置を含み、提供装置とサーバ装置とが通信網を介して接続される視聴データ収集システムにおけるサーバ装置が提供される。通信装置は、通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、放送波の受信時における通信装置に対するユーザの操作内容を示す機器操作情報を通信装置から受信するように構成された第１の通信部と、受信した機器操作情報をサーバ装置へ送信するように構成された第２の送信部とを含む。サーバ装置は、記憶部と、提供装置から通信網を介して機器操作情報を受信するように構成された第２の通信部と、サーバ装置の動作を制御する制御部とを備える。制御部は、機器操作情報に示される放送波の受信時におけるユーザの操作内容に基づいて、ユーザが放送波の放送番組を視聴したか否かを判断する判断処理部を含み、判断処理部による判断結果を示す視聴データを記憶部により記憶するように構成されている。
【００２４】
別の実施形態に従うと、通信装置、提供装置、およびサーバ装置を含み、提供装置とサーバ装置とが通信網を介して接続される視聴データ収集システムにおける通信装置が提供される。提供装置は、放送波を受信するように構成された放送波受信部と、受信する放送波に示される放送番組を表示するように構成された表示部と、放送波の受信時における通信装置に対するユーザの操作内容を示す機器操作情報を通信装置から受信するように構成された第１の通信部と、受信した機器操作情報をサーバ装置へ送信するように構成された第２の送信部とを含む。サーバ装置は、記憶部と、提供装置から通信網を介して機器操作情報を受信するように構成された第２の通信部と、サーバ装置の動作を制御する制御部とを備える。制御部は、機器操作情報に示される放送波の受信時におけるユーザの操作内容に基づいて、ユーザが放送波を視聴したか否かを判断する判断処理部を含み、判断処理部による判断結果を示す視聴データを記憶部により記憶するように構成されている。通信装置は、通信装置に対するユーザの操作内容を示す機器操作情報を生成し、生成された機器操作情報を提供装置へ送信するように構成された第１の送信部を備える。
【００２５】
別の実施形態に従うと、通信装置、提供装置、およびサーバ装置を含み、提供装置とサーバ装置とが通信網を介して接続される視聴データ収集システムにおける提供装置が提供される。通信装置は、通信装置に対するユーザの操作内容を示す機器操作情報を生成し、生成された機器操作情報を提供装置へ送信するように構成された第１の送信部を備える。サーバ装置は、記憶部と、提供装置から通信網を介して機器操作情報を受信するように構成された第２の通信部と、サーバ装置の動作を制御する制御部とを備える。制御部は、機器操作情報に示される放送波の受信時におけるユーザの操作内容に基づいて、ユーザが放送波の放送番組を視聴したか否かを判断する判断処理部を含み、判断処理部による判断結果を示す視聴データを記憶部により記憶するように構成されている。提供装置は、放送波を受信するように構成された放送波受信部と、受信する放送波に示される放送番組を表示するように構成された表示部と、放送波の受信時における通信装置に対するユーザの操作内容を示す機器操作情報を通信装置から受信するように構成された第１の通信部と、受信した機器操作情報をサーバ装置へ送信するように構成された第２の送信部とを含む。
【００２６】
別の実施形態に従うと、複数の通信装置、提供装置、およびサーバ装置を含み、提供装置とサーバ装置とが通信網を介して接続される視聴データ収集システムが提供される。複数の通信装置の各々は、各通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、複数の通信装置それぞれに対するユーザの操作内容を示す機器操作情報を、複数の通信装置それぞれから受信するように構成された第１の通信部と、提供装置の動作を制御するように構成された第１の制御部とを備える。第１の制御部は、複数の通信装置それぞれから受信した、放送波の受信時における機器操作情報に基づいて、ユーザが放送波に示される放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第２の通信部と、受信した視聴データを記憶部により記憶するように構成された第２の制御部とを備える。
【００２７】
別の実施形態に従うと、複数の通信装置、提供装置、およびサーバ装置を含み、提供装置とサーバ装置とが通信網を介して接続される視聴データ収集システムにおける提供装置が提供される。複数の通信装置の各々は、各通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、複数の通信装置それぞれに対するユーザの操作内容を示す機器操作情報を、複数の通信装置それぞれから受信するように構成された第１の通信部と、提供装置の動作を制御するように構成された制御部とを備える。制御部は、複数の通信装置それぞれから受信した、放送波の受信時における機器操作情報に基づいて、ユーザが放送波に示される放送番組を視聴したか否かを判断する判断処理部と、判断処理部による判断結果を示す視聴データをサーバ装置へ送信する第２の送信部とを含む。
【００２８】
別の実施形態に従うと、複数の通信装置、提供装置、およびサーバ装置を含み、提供装置とサーバ装置とが通信網を介して接続される視聴データ収集システムにおける複数の通信装置が提供される。提供装置は、放送波を受信するように構成された放送波受信部と、受信する放送波に示される放送番組を表示するように構成された表示部と、複数の通信装置それぞれに対するユーザの操作内容を示す機器操作情報を、複数の通信装置それぞれから受信するように構成された通信部と、提供装置の動作を制御するように構成された制御部とを備える。制御部は、複数の通信装置それぞれから受信した、放送波の受信時における機器操作情報に基づいて、ユーザが放送波に示される放送番組を視聴したか否かを判断する判断処理部と、判断処理部による判断結果を示す視聴データをサーバ装置へ送信する第２の送信部とを含む。複数の通信装置の各々は、各通信装置に対するユーザの操作内容を示す機器操作情報を生成し、生成された機器操作情報を提供装置へ送信するように構成された第１の送信部を備える。
【００２９】
別の実施形態に従うと、複数の通信装置、提供装置、およびサーバ装置を含み、提供装置とサーバ装置とが通信網を介して接続される視聴データ収集システムにおけるサーバ装置が提供される。複数の通信装置の各々は、各通信装置に対するユーザの操作内容を示す機器操作情報を生成し、生成された機器操作情報を提供装置へ送信するように構成された第１の送信部を備える。提供装置は、放送波を受信するように構成された放送波受信部と、受信する放送波に示される放送番組を表示するように構成された表示部と、複数の通信装置それぞれに対するユーザの操作内容を示す機器操作情報を、複数の通信装置それぞれから受信するように構成された第１の通信部と、提供装置の動作を制御するように構成された第１の制御部とを備える。第１の制御部は、複数の通信装置それぞれから受信した、放送波の受信時における機器操作情報に基づいて、ユーザが放送波に示される放送番組を視聴したか否かを判断する判断処理部と、判断処理部による判断結果を示す視聴データをサーバ装置へ送信する第２の送信部とを含む。サーバ装置は、記憶部と、提供装置から通信網を介して視聴データを受信するように構成された第２の通信部と、受信した視聴データを記憶部により記憶するように構成された第２の制御部とを備える。
【発明の効果】
【００３０】
一実施形態に従う視聴データ収集システムによると、ユーザが操作する対象となる機器への操作状況に応じて、ユーザがコンテンツを視聴しているか否かを判定することができ、視聴状況を効果的に測定することができる。
【００３１】
この発明の上記および他の目的、特徴、局面および利点は、添付の図面と関連して理解されるこの発明に関する次の詳細な説明から明らかとなるであろう。
【図面の簡単な説明】
【００３２】
【図１】実施の形態１の視聴データ収集システム１の構成を示す図である。
【図２】無線通信装置１０の構成を示すブロック図である。
【図３】サーバ２０の構成を示すブロック図である。
【図４】機器操作情報２６１のデータ構造と、視聴チャネル情報２６２のデータ構造とを示す図である。
【図５】視聴データ２６３のデータ構造を示す図である。
【図６】視聴割合データ２６５のデータ構造を示す図である。
【図７】番組視聴状況データ２６６のデータ構造を示す図である。
【図８】視聴データ収集システム１において、無線通信装置１０に対するユーザの操作内容に基づいて、ユーザが放送番組を視聴したか否かをサーバ２０が判断し、判断結果を示す視聴データを生成する処理を示すフローチャートである。
【図９】放送局９３がサーバ２０から視聴割合データ２６５を取得する処理を示すフローチャートである。
【図１０】番組製作会社９５がサーバ２０から番組視聴状況データ２６６を取得する処理を示すフローチャートである。
【図１１】機器操作情報２６１に基づいて、ユーザが放送番組を視聴したか否かをサーバ２０が判断するための判断基準２７４Ａを示す図である。
【図１２】実施の形態２の無線通信装置１０Ｂの構成を示すブロック図である。
【図１３】実施の形態２のサーバ２０Ｂの構成を示すブロック図である。
【図１４】無線通信装置１０に対するユーザの操作内容に基づいて、ユーザが放送番組を受信したか否かを無線通信装置１０が判断し、判断結果を示す視聴データを生成し、生成した視聴データを無線通信装置１０がサーバ２０へ送信する処理を示すフローチャートである。
【図１５】実施の形態３の視聴データ収集システム３の構成を示す図である。
【図１６】実施の形態３の無線通信装置１０Ｃの構成を示すブロック図である。
【図１７】実施の形態３の視聴データ提供装置４０の構成を示すブロック図である。
【図１８】実施の形態３のサーバ２０Ｃの構成を示すブロック図である。
【図１９】視聴データ２６３Ｚのデータ構造を示す図である。
【図２０】視聴データ提供装置４０の制御部４０７が、無線通信装置１０Ｃの機器操作情報に基づいて、ユーザが放送番組を視聴したか否かを判断する処理を示すフローチャートである。
【図２１】実施の形態４の視聴データ提供システム４の構成を示す図である。
【図２２】実施の形態４の無線通信装置１０Ｄの構成を示す図である。
【図２３】実施の形態４の視聴データ提供装置４０Ｄの構成を示すブロック図である。
【図２４】実施の形態４のサーバ２０Ｄの構成を示すブロック図である。
【図２５】視聴データ提供装置４０Ｄの制御部４０７が、無線通信装置１０Ｄの機器操作情報に基づいて、ユーザが放送番組を視聴したか否かを判断する処理を示すフローチャートである。
【図２６】実施の形態５の操作情報提供装置４０Ｅの構成を示すブロック図である。
【図２７】サーバ２０Ｅの構成を示すブロック図である。
【図２８】無線通信装置１０Ｃの機器操作情報を操作情報提供装置４０Ｅが収集し、ユーザが放送番組を視聴したか否かをサーバ２０Ｅが判断し、判断結果を示す視聴データを生成する処理を示すフローチャートである。
【図２９】実施の形態６の視聴データ収集システム６の構成を示す図である。
【図３０】実施の形態６の視聴データ提供装置４０Ｆの構成を示すブロック図である。
【図３１】機器操作情報４６３のデータ構造を示す図である。
【図３２】視聴データ提供装置４０Ｆの制御部４０７が、複数の無線通信装置の機器操作情報に基づいて、ユーザが放送番組を視聴したか否かを判断する処理を示すフローチャートである。
【図３３】機器操作情報４６３に基づいて、ユーザが放送番組を視聴したか否かを視聴データ提供装置４０Ｆが判断するための判断基準を示す図である。
【図３４】視聴データ提供装置４０Ｆの制御部４０７が、無線通信装置それぞれの機器操作情報に基づいて、ユーザによる放送番組の視聴可否を判断し、その判断結果に重みづけをして、放送番組を視聴したか否かを判断する処理を示すフローチャートである。
【図３５】複数の無線通信装置のそれぞれに割り当てられた重みづけ係数と、各無線通信装置についての視聴可否の判断結果とを用いた演算の演算結果を示す図である。
【図３６】実施の形態７のサーバ２０Ｇの構成を示す図である。
【図３７】サーバ２０Ｇが番組リコメンド情報２６７を生成して視聴データ提供装置へ配信する処理を示すフローチャートである。
【図３８】サーバ２０Ｇが視聴データ提供装置４０Ｆへ送信する番組リコメンド情報２６７に示されるおすすめの番組を、視聴データ提供装置４０Ｆのディスプレイ４０４に表示する一例を示す図である。
【図３９】実施の形態８の視聴データ収集システム８の構成を示す図である。
【図４０】実施の形態８の無線通信装置１０Ｈの構成を示す図である。
【図４１】実施の形態８のサーバ２０Ｈの構成を示す図である。
【図４２】サーバ２０Ｈは番組リコメンド情報２６７を生成して視聴データ提供装置へ配信する処理を示すフローチャートである。
【図４３】サーバ２０Ｈが視聴データ提供装置４０Ｆへ送信する番組リコメンド情報２６７に示されるおすすめの番組を、視聴データ提供装置４０Ｆのディスプレイ４０４に表示する一例を示す図である。
【発明を実施するための形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
＜Ａ．実施の形態１＞
図１は、実施の形態１の視聴データ収集システム１の構成を示す図である。図１に示すように、視聴データ収集システム１は、無線通信装置１０と、サーバ２０とを含む。視聴データ収集システム１において、無線通信装置１０は、視聴者が操作する端末である。また、無線通信装置１０は、放送送信所９１から送出される放送波を受信して、放送番組をディスプレイに表示する。無線通信装置１０は、視聴者であるユーザの操作内容を記録し、その操作内容を示す機器操作情報を、通信網９０を介してサーバ２０へ送信する。サーバ２０は、無線通信装置１０から機器操作情報を受信する。サーバ２０は、機器操作情報に示されるユーザの操作内容に基づいて、ユーザが放送番組を視聴したか否かを判断し、判断結果を視聴データとして記録する。このようにして、視聴データ収集システム１は、ユーザが操作する対象となる無線通信装置１０への操作状況に応じて、ユーザが放送番組などのコンテンツを視聴しているか否かを判定し、判定結果を記録することができる。
【００３５】
コンテンツにかかわる事業者にとっては、これらコンテンツがどの程度、視聴者によって視聴されているかは重要な指標となる。例えば、コンテンツの視聴状況を測定することで、番組製作会社９５にとっては、より良いコンテンツの制作へのフィードバックを得ることができる。また、放送局９３にとっては、コンテンツの視聴状況を測定することにより、放送波によってどのようなコンテンツを配信すべきかの判断をすることができ、また、広告主への広告効果の説明に役立てることができる。各放送受信機によって放送番組が表示されている割合は、例えば視聴率として測定されている。しかし、視聴者が放送受信機によって放送番組を表示していても、実際に放送番組を視聴しているとは限らない。そこで、視聴データ収集システム１では、ユーザが無線通信装置１０などの端末に対して行う操作状況に基づいて、実際にユーザがコンテンツを視聴しているか否かを判定し、判定結果を視聴データとして記録する。
【００３６】
視聴データ収集システム１の構成について説明すると、通信網９０に、無線基地局９２、放送局９３、番組製作会社９５およびサーバ２０等の各装置が接続されている。放送局９３は、放送番組を編成する機能を有し、ユーザの視聴の対象となる放送番組などのコンテンツを、放送送信所９１から放送波として送出する。番組製作会社９５は、放送番組などのコンテンツを制作する事業者である。
【００３７】
無線通信装置１０は、移動体通信システムにおける無線通信端末として機能し、例えばＬＴＥ（Long  Term  Evolution）、ＣＤＭＡ（Code  Division  Multiple  Access）、およびＷｉＭＡＸ（Worldwide  Interoperability  for  Microwave  Access）などの規格に従って無線基地局９２と無線通信する。また、無線通信装置１０は、例えばワンセグ放送などのデジタル放送の放送波を受信する機能を有し、受信した放送波に示される放送番組をディスプレイ１０４により表示する。
【００３８】
＜Ａ１．構成＞
図２と図３とを参照して、視聴データ収集システム１に含まれる無線通信装置１０およびサーバ２０の構成を説明する。
【００３９】
無線通信装置１０は、放送番組を視聴するユーザが操作する端末であり、放送を受信する放送受信機としての機能と、インターネットへ接続する通信機能とを有する。無線通信装置１０は、例えば、スマートフォン、タブレット、テレビ放送受信機その他の無線通信端末である。
【００４０】
実施の形態１において、無線通信装置１０は、放送と通信とを組み合わせたサービスを利用することができる端末であるものとして説明するが、これに限られない。放送と通信とを組み合わせたサービスとは、例えば、インターネットから取得できる情報や、放送中の番組と連動するコンテンツや、放送中の番組に関連するコンテンツなどをインターネット経由でサーバ等から受信し、放送番組と同時にこれらコンテンツをディスプレイに表示させるサービスなどである。例えば、放送中の番組の番組冒頭からの映像データをインターネット経由で端末が受信することにより、放送済みのシーンなどをさかのぼってディスプレイに表示させる巻き戻しサービスをユーザに提供することができる。また、放送中の番組と連動するサービスとして、例えば、番組中に視聴者に対して選択肢を提示するなどし、視聴者がインターネット経由で選択結果を送信することで、コンテンツの再生結果が変化していくサービスを視聴者に提供することができる。ユーザは、このようなインターネット経由で提供されるサービスを利用する手続をする（例えば、サーバ２０がサービスを提供するためのサーバとして機能し、ユーザがサーバ２０にユーザの情報を登録する等）ことで、放送番組をより一層楽しむことができる。例えば、このような放送と通信とを組み合わせたサービスをサーバ２０がユーザに提供することにより、ユーザに対し、無線通信装置１０とサーバ２０とを通信させることを促すことができる。
【００４１】
図２は、無線通信装置１０の構成を示すブロック図である。図２を参照して、無線通信装置１０は、アンテナ１０１Ａ，１０１Ｂと、放送波受信部１０２Ａと、無線通信部１０２Ｂと、入力操作受付部１０３と、ディスプレイ１０４と、スピーカ１０５と、記憶部１０６と、制御部１０７とを含む。
【００４２】
アンテナ１０１Ａは、放送送信所９１から送出される放送波を受信して、受信信号を放送波受信部１０２Ａへ与える。放送波受信部１０２Ａは、放送波を受信するためのモジュールであり、無線通信装置１０が受信する放送波の変復調等を行い、受信信号を制御部１０７へ与える。
【００４３】
アンテナ１０１Ｂは、無線通信装置１０が発する信号を電波として空間へ放射する。また、アンテナ１０１Ｂは、空間から電波を受信して受信信号を無線通信部１０２Ｂへ与える。無線通信部１０２Ｂは、無線通信装置１０が他の通信機器と通信するため、アンテナ１０１Ｂ等を介して信号を送受信するための変復調処理などを行う。無線通信部１０２Ｂは、チューナー、高周波回路などを含む無線通信用の通信モジュールであり、無線通信装置１０が送受信する無線信号の変復調や周波数変換を行い、受信信号を制御部１０７へ与える。
【００４４】
入力操作受付部１０３は、ユーザの入力操作を受け付けるための部材であり、例えば静電容量型のタッチパネルなどにより実現される。
【００４５】
ディスプレイ１０４は、例えばＬＣＤ（Liquid  Crystal  Display）等によって実現され、制御部１０７の制御に従って、映像信号に基づき映像を表示する。例えば、ディスプレイ１０４は、無線通信装置１０がアンテナ１０１Ａ等を介して受信する放送波に示される放送番組を表示する。スピーカ１０５は、音声信号に基づき音声を出力する。
【００４６】
記憶部１０６は、フラッシュメモリ、ＲＡＭ（Random  Access  Memory）等により構成され、無線通信装置１０が使用するデータおよびプログラムを記憶する。ある局面において、記憶部１０６は、機器識別情報１６１と、連動アプリケーション１６２と、機器操作情報１６３とを記憶する。
【００４７】
機器識別情報１６１は、無線通信装置１０の機器そのものを識別する情報である。例えば、無線通信装置１０の製造者によって付与された、機器に固有のＩＤである。連動アプリケーション１６２は、例えば、放送番組と連動したサービスを利用するためのアプリケーションである。ユーザは、放送番組を視聴する際に、連動アプリケーション１６２を利用することで、放送と通信とが連携したサービスを利用することができる。機器操作情報１６３は、無線通信装置１０に対するユーザの操作内容を示す情報である。
【００４８】
制御部１０７は、記憶部１０６に記憶される制御プログラムを読み込んで実行することにより、無線通信装置１０の動作を制御する。制御部１０７は、例えばプロセッサにより実現される。制御部１０７は、プログラムに従って動作することにより、放送受信再生部１７１と、操作情報送信部１７２と、通信コンテンツ受信再生部１７３としての機能を発揮する。
【００４９】
放送受信再生部１７１は、放送送信所９１から送出される放送波を受信して、受信信号に示される放送番組をディスプレイ１０４によって再生する。放送受信再生部１７１は、受信している放送波のチャネルを示す視聴チャネル情報を取得する。
【００５０】
操作情報送信部１７２は、無線通信装置１０の入力操作受付部１０３に対するユーザの操作内容を示す機器操作情報１６３を生成し、生成された機器操作情報１６３をサーバ２０へ送信する。また、操作情報送信部１７２は、放送受信再生部１７１によって取得される視聴チャネル情報と、機器操作情報１６３とをサーバ２０へ送信する。
【００５１】
通信コンテンツ受信再生部１７３は、放送と通信とを組み合わせたサービスを利用するため、連動アプリケーション１６２を実行し、連動アプリケーション１６２の処理により、インターネット経由でサーバ２０からコンテンツ（通信コンテンツ）を受信する処理と、受信した通信コンテンツを再生してディスプレイ１０４に表示する処理とを行う。例えば、放送送信所９１が送出する放送波に、起動すべき連動アプリケーションを指定した制御信号が含まれている。無線通信装置１０は、制御信号により指定される連動アプリケーションを起動して、放送番組と連動した通信コンテンツを利用するための処理を行う。
【００５２】
図３は、サーバ２０の構成を示すブロック図である。図３を参照して、サーバ２０は、通信部２０２と、記憶部２０６と、制御部２０７と、データ保持部２０８とを含む。
【００５３】
通信部２０２は、サーバ２０が他の通信機器と通信するための変復調処理などを行う通信インターフェースである。通信部２０２は、無線通信装置１０から、機器操作情報１６３と、視聴チャネル情報とを受信する。サーバ２０が受信した機器操作情報１６３は、機器操作情報２６１として記憶部２０６に記憶される。サーバ２０が受信した視聴チャネル情報は、視聴チャネル情報２６２として記憶部２０６に記憶される。
【００５４】
記憶部２０６は、フラッシュメモリ、ＨＤＤ（Hard  Disk  Drive）、ＲＡＭ等により構成され、サーバ２０が使用するプログラムを記憶し、サーバ２０が使用する各種のデータを蓄積する。ある局面において、記憶部２０６は、機器操作情報２６１と、視聴チャネル情報２６２と、視聴データ２６３と、番組表情報２６４と、視聴割合データ２６５と、番組視聴状況データ２６６とを記憶する。サーバ２０は、複数の無線通信装置と、通信網９０を介して通信接続する場合に、各無線通信装置から機器操作情報を受信して、記憶部２０６に機器操作情報２６１として記憶させる。
【００５５】
機器操作情報２６１は、無線通信装置１０に対するユーザの操作内容を示す情報である。視聴チャネル情報２６２は、各無線通信装置から受信する視聴チャネル情報である。
【００５６】
視聴データ２６３は、機器操作情報２６１に示される、無線通信装置１０における放送波の受信時におけるユーザの操作内容に基づいて、ユーザが放送波に示される放送番組を視聴したか否かの判断結果を示すデータである。記憶部２０６は、この視聴したか否かの判断結果と、ユーザによる無線通信装置１０への操作がなされた時の視聴チャネル情報２６２とを対応付けた情報を視聴データ２６３として記憶している。サーバ２０が複数の無線通信装置と接続する場合、これら複数の無線通信装置から受信する機器操作情報２６１に基づいて、各無線通信装置のユーザが放送波に示される放送番組を視聴したか否かを無線通信装置それぞれについて判断する。サーバ２０は、各無線通信装置についての判断結果を示す視聴データ２６３を記憶部２０６に記憶させる。番組表情報２６４は、放送送信所９１から送出される放送波に示される放送番組の番組表の情報を示す。サーバ２０は、例えば、放送番組の番組表の情報を放送局９３から受信することにより、記憶部２０６に番組表情報２６４を記憶させる。
【００５７】
視聴割合データ２６５は、サーバ２０が複数の無線通信装置と接続する場合に、視聴データ２６３に基づいて、複数の無線通信装置のユーザのうち、放送波に示される放送番組を視聴している割合を、各チャネルについて算出した算出結果を示す情報である。
【００５８】
番組視聴状況データ２６６は、機器操作情報２６１に基づいて、番組単位で、無線通信装置のユーザが放送番組を視聴していると判定された割合を示す情報である。すなわち、番組視聴状況データ２６６は、ある番組について、ユーザがどの程度の割合で視聴しているかを時系列に沿って機器操作情報２６１に基づいて判定した判定結果を示す。
【００５９】
制御部２０７は、記憶部２０６に記憶される制御プログラムを読み込んで実行することにより、サーバ２０の動作を制御する。制御部２０７は、例えば複数のプロセッサによって実現される。制御部２０７は、プログラムに従って動作することにより、ストリームデータ送信部２７１と、アプリケーション送信部２７２と、操作情報受信部２７３と、視聴判断処理部２７４と、データ解析配信部２７５との各機能を発揮する。
【００６０】
ストリームデータ送信部２７１は、放送番組と連動したサービスを無線通信装置１０に提供するため、インターネットを介して、放送番組と連動して無線通信装置１０において再生される通信コンテンツ２８１を無線通信装置１０に送信する。例えば、ストリームデータ送信部２７１は、放送中の番組の進行にあわせて映像データを無線通信装置１０に送信する処理、放送中の番組の巻き戻しサービスを提供するための映像データを無線通信装置１０に送信する処理、視聴者の番組参加を目的としたコンテンツを無線通信装置１０に送信する処理その他の処理を行う。
【００６１】
アプリケーション送信部２７２は、無線通信装置１０が放送番組と連動したサービスを利用するための連動アプリケーション２８２を無線通信装置１０へ送信する処理を行う。例えば、無線通信装置１０が、放送波に含まれる制御信号に基づいて、通信コンテンツを利用するための連動アプリケーション１６２を起動させる。このとき、無線通信装置１０は、例えば制御信号において指定されるＵＲＬ（Uniform  Resource  Locator）へアクセスし、このＵＲＬから連動アプリケーション１６２をダウンロードすることにより、通信コンテンツの利用を開始する。
【００６２】
操作情報受信部２７３は、無線通信装置１０との通信により、無線通信装置１０から機器操作情報を受信して、機器操作情報２６１として記憶部２０６に記憶させる処理を行う。サーバ２０が複数の無線通信装置と接続する場合、操作情報受信部２７３は、各無線通信装置から機器識別情報１６１と、機器操作情報１６３と、視聴チャネル情報とを受信し、これらの情報を記憶部２０６に記憶させる。
【００６３】
視聴判断処理部２７４は、機器操作情報２６１に示される、放送波の受信時における無線通信装置１０に対するユーザの操作内容に基づいて、ユーザが放送波に示される放送番組を視聴したか否かを判断する。制御部２０７は、この視聴判断処理部２７４による判断結果を視聴データ２６３として記憶部２０６に記憶させる。
【００６４】
データ解析配信部２７５は、視聴データ２６３を解析して視聴割合データ２６５および番組視聴状況データ２６６を生成する処理と、生成した視聴割合データ２６５と番組視聴状況データ２６６とを他の通信装置へ通信網９０を介して送信する処理とを行う。例えば、データ解析配信部２７５は、放送局９３からの視聴割合データ２６５の要求を受け付けて視聴割合データ２６５を生成し、生成した視聴割合データ２６５を放送局９３へ送信する。また、例えば、データ解析配信部２７５は、番組製作会社９５から、番組製作会社９５において制作された番組を示す制作番組情報を受信することにより、制作番組情報と番組表情報２６４とを照合して、番組が放送された時間帯を特定する。データ解析配信部２７５は、特定された時間帯に基づいて番組視聴状況データ２６６を生成し、生成された番組視聴状況データ２６６を番組製作会社９５へ送信する。
【００６５】
データ保持部２０８は、ＨＤＤ、ＲＡＭ等により構成され、サーバ２０が無線通信装置１０へ配信するためのプログラムおよびデータ等を記憶する。データ保持部２０８は、通信コンテンツ２８１と、連動アプリケーション２８２とを記憶する。通信コンテンツ２８１は、放送番組と連動して無線通信装置１０において再生されるデータである。通信コンテンツ２８１は、ストリームデータ送信部２７１によって無線通信装置１０へ送信される。連動アプリケーション２８２は、放送番組と連動した通信コンテンツ２８１を無線通信装置１０において利用するためのアプリケーションである。サーバ２０は、例えば、無線通信装置１０から連動アプリケーション２８２の取得要求を受け付けて、無線通信装置１０に連動アプリケーション２８２を送信する。放送番組と連動して、様々なサービスを視聴者に提供するため、サービスに応じてアプリケーションが用意されている。
【００６６】
＜Ａ２．データ構造＞
図４から図７を参照して、実施の形態１の視聴データ収集システム１で使用されるデータのデータ構造について説明する。
【００６７】
図４は、機器操作情報２６１のデータ構造と、視聴チャネル情報２６２のデータ構造とを示す図である。図４に示すように、サーバ２０は、無線通信装置１０に対するユーザの操作内容と、操作がなされた時刻とを対応付けて記憶部２０６に機器操作情報２６１として記憶させている。機器操作情報２６１の各レコードは、操作内容２６１Ａと、操作時刻２６１Ｂとを含む。
【００６８】
操作内容２６１Ａは、無線通信装置１０の入力操作受付部１０３を介してユーザから受け付けた操作の内容を示す。操作の内容とは、例えば、無線通信装置１０が連動アプリケーション１６２を起動する処理や、カレンダーを表示するアプリケーション、カメラモジュールを動作させるアプリケーションなど特定の処理を行うためのアプリケーションを起動する処理や、無線通信装置１０がサーバ２０から受信した通信コンテンツに対するユーザの入力操作を受け付ける処理などがある。操作時刻２６１Ｂは、操作内容２６１Ａに示される操作が行われた時刻を示す。
【００６９】
視聴チャネル情報２６２の各レコードは、視聴チャネル２６２Ａと、操作時刻２６２Ｂとを含む。視聴チャネル２６２Ａは、無線通信装置１０が受信する放送波のチャネルの情報を示す。操作時刻２６２Ｂは、視聴チャネル２６２Ａに示されるチャネルの視聴が開始された時刻を示す。
【００７０】
図５は、視聴データ２６３のデータ構造を示す図である。無線通信装置１０は、各無線通信装置から、機器識別情報１６１と、機器操作情報１６３と、視聴チャネル情報とを受信する。無線通信装置１０は、各無線通信装置について、受信した機器操作情報１６３に基づき、視聴チャネル情報に示されるチャネルの放送番組を視聴したか否かを判断する。図５に示すように、無線通信装置１０は、各無線通信装置についての判断結果を視聴データ２６３として記憶部２０６により記憶する。図５に示すように、視聴データ２６３の各レコードは、機器識別情報２６３Ａと、視聴チャネル２６３Ｂと、視聴可否判断結果２６３Ｃと、時刻２６３Ｄとを含む。
【００７１】
機器識別情報２６３Ａは、サーバ２０が通信網９０を介して接続する各無線通信装置の識別情報（機器識別情報１６１）を示す。視聴チャネル２６３Ｂは、各無線通信装置において受信した放送波のチャネルの情報を示す。視聴可否判断結果２６３Ｃは、サーバ２０が、無線通信装置１０から受信した機器操作情報２６１に基づいて、無線通信装置のユーザが放送番組を視聴したか否かの判断処理を行った結果を示す。図５に示すように、視聴可否判断結果２６３Ｃは、視聴したか否かの判断処理の結果として、判断結果「視聴している」または判断結果「視聴していない」を格納する。時刻２６３Ｄは、時刻を示す。サーバ２０は、例えば、一定の時間間隔をあけた各時点について、機器操作情報２６１に基づいて、ユーザが放送番組を視聴したか否かの判断処理を行う。図５の例では、サーバ２０は、１０秒ごとに、ユーザが放送番組を視聴したか否かの判断処理の結果を視聴データ２６３により記憶している。例えば、サーバ２０は、時刻２６３Ｄに示される各時点に最も近い操作時刻と対応付けられている操作内容（操作内容２６１Ａ）に基づいて、視聴チャネル２６２Ａに示されるチャネルの放送番組を視聴したか否かを判断する。
【００７２】
図６は、視聴割合データ２６５のデータ構造を示す図である。サーバ２０は、各無線通信装置から受信して記憶する機器操作情報２６１に基づいて、視聴データ２６３を生成する。この視聴データ２６３は、時刻２６３Ｄに示される各時点において、各無線通信装置の視聴チャネル情報と、ユーザが放送番組を視聴したか否かの判断処理の結果とを対応付けたものである。サーバ２０が複数の無線通信装置から機器操作情報２６１を受信すると、各チャネルについて、無線通信装置１０で表示されていた割合を示すチャネル選択割合の分布と、実際にユーザが放送番組を視聴していたと判断される割合を示す視聴割合とをサーバ２０が算出することができる。このような算出処理を行うことにより、サーバ２０は、視聴割合データ２６５を生成する。
【００７３】
図６（Ａ）は、視聴割合データ２６５のデータ構造を示している。視聴割合データ２６５の各レコードは、時刻２６５Ａと、チャネル２６５Ｂと、チャネル選択割合２６５Ｃと、チャネル視聴割合２６５Ｄとを含む。
【００７４】
時刻２６５Ａは、各番組が放送される時刻を示す。チャネル２６５Ｂは、各時点において放送されているチャネルを示す。チャネル選択割合２６５Ｃは、複数の無線通信装置が各チャネルの放送番組を表示している割合を示す。例えば、サーバ２０は、視聴データ２６３を参照し、各時点（時刻２６３Ｄ）における複数の無線通信装置それぞれの視聴チャネル（視聴チャネル２６３Ｂ）の分布を算出することでチャネル選択割合２６５Ｃを決定することができる。チャネル視聴割合２６５Ｄは、各チャネルの放送番組について、視聴可否判断結果２６３Ｃに基づいて、実際にユーザが放送番組を視聴していたと判断される割合を示す。例えば、サーバ２０は、視聴データ２６３を参照し、それぞれの視聴チャネルについて、各時点（時刻２６３Ｄ）における視聴可否の判断結果の割合を算出することでチャネル視聴割合２６５Ｄを決定することができる。例えば、図６（Ａ）に示すように、ある時点において、視聴チャネル「４ｃｈ」は、複数の無線通信装置のうちの２５％の装置がディスプレイに表示している。そして、この視聴チャネル「４ｃｈ」をディスプレイに表示している無線通信装置のうち、機器操作情報２６１に基づいて、実際にユーザが放送番組を視聴していたと判断されるチャネル視聴割合は、７２．０％である。
【００７５】
図６（Ｂ）は、視聴割合データ２６５に示される、各時点におけるチャネル選択割合２６５Ｃおよびチャネル視聴割合２６５Ｄが時系列に沿って変化していくことを示す図である。チャネル選択割合２６５Ｃ＿１は、時刻「２０１５年８月８日  １２時００分００秒」におけるチャネル選択割合２６５Ｃとチャネル視聴割合２６５Ｄとを視覚的に示す図である。またチャネル選択割合２６５Ｃ＿２は、時刻「２０１５年８月８日  １２時００分１０秒」における例を示す図である。チャネル選択割合２６５Ｃ＿１、２６５Ｃ＿２において、実線は、チャネル選択割合２６５Ｃに示される各チャネルの選択割合を示す。また、チャネル選択割合２６５Ｃ＿１、２６５Ｃ＿２において、破線は、各チャネルにおけるチャネル視聴割合２６５Ｄを示す。
【００７６】
図６（Ｂ）に示すように、チャネル選択割合２６５Ｃおよびチャネル視聴割合２６５Ｄを、グラフ等で視覚的に示すことにより、視聴者がどのチャネルを無線通信装置１０に表示しているのか、また、実際に視聴者が視聴していると判断される割合がどの程度かを容易に知ることができる。そのため、サーバ２０は、放送局９３等に対し、視聴割合データ２６５を提供することにより、各放送局において広告を配信することの価値を判断するための判断材料を放送局および広告主等に提供することができる。例えば、サーバ２０が複数の無線通信装置から、逐次、機器操作情報を受信することで、視聴割合データ２６５を、放送番組の放送時間帯と連動してリアルタイムに近い時間間隔で生成することができる。これにより、サーバ２０は、放送局に対し、実際にユーザが放送番組を視聴していると判断されるチャネル視聴割合２６５Ｄの情報等を、放送と連動してほぼリアルタイムにフィードバックすることもできる。
【００７７】
図７は、番組視聴状況データ２６６のデータ構造を示す図である。サーバ２０は、視聴データ２６３に基づいて、番組単位で、実際にユーザが放送番組を視聴していると判断される割合の変化を示す番組視聴状況データ２６６を生成する。例えば、サーバ２０は、番組製作会社９５が制作した番組の情報を示す制作番組情報を受信し、番組表情報２６４と照合することで、制作番組情報に示される放送番組が放送された時間帯およびチャネルを抽出する。サーバ２０は、抽出された時間帯およびチャネルに基づいて、視聴可否判断結果２６３Ｃに示される判断結果の割合を集計することで、番組視聴状況データ２６６を生成する。
【００７８】
図７（Ａ）は、番組視聴状況データ２６６のデータ構造を示している。番組視聴状況データ２６６の各レコードは、番組識別情報２６６Ａと、視聴位置２６６Ｂと、視聴割合２６６Ｃとを含む。
【００７９】
番組識別情報２６６Ａは、放送番組を識別するための情報である。視聴位置２６６Ｂは、放送番組におけるユーザの視聴位置を示す。視聴割合２６６Ｃは、視聴可否判断結果２６３Ｃに基づいて、実際にユーザが放送番組を視聴していると判断される割合を示す。
【００８０】
図７（Ｂ）は、番組視聴状況データ２６６に示される、各時点における視聴割合２６６Ｃが時系列に沿って変化していくことを示す図である。図７（Ｂ）に示すように、視聴割合２６６Ｃを、グラフ等で視覚的に示すことにより、放送番組において視聴者が実際に視聴していたと判断される割合の変化を容易に知ることができる。サーバ２０は、番組製作会社９５等に対し、番組視聴状況データ２６６を提供することにより、放送番組における視聴者の関心の変化や、放送番組のコンテンツとしての価値を判断するための判断材料を提供することができる。
【００８１】
＜Ａ３．動作＞
図８から図１１を参照して、実施の形態１の視聴データ収集システム１の動作を説明する。
【００８２】
図８は、視聴データ収集システム１において、無線通信装置１０に対するユーザの操作内容に基づいて、ユーザが放送番組を視聴したか否かをサーバ２０が判断し、判断結果を示す視聴データを生成する処理を示すフローチャートである。例えば、無線通信装置１０のユーザが、ワンセグ放送を視聴するためのアプリケーションを起動する操作をすることにより、無線通信装置１０が図８に示す処理を開始する。
【００８３】
ステップＳ１１１において、制御部１０７は、例えばワンセグ放送を受信するためのアプリケーションを起動することにより、放送波の受信と、受信した放送波に示される放送番組のディスプレイ１０４による表示を開始する。
【００８４】
ステップＳ１１３において、制御部１０７は、放送番組と連動した通信コンテンツを表示するための連動アプリケーション１６２を起動する。制御部１０７は、例えば、放送波の制御信号に含まれる、起動すべき連動アプリケーション１６２の情報に基づいて、記憶部１０６から連動アプリケーション１６２を読み出す。無線通信装置１０において、起動すべき連動アプリケーション１６２が記憶部１０６から発見されない場合、制御部１０７は、制御信号に含まれる、連動アプリケーション１６２を取得するための情報（ＵＲＬ等）に基づいてインターネット等を介してサーバ２０等の外部の通信装置と接続することにより、連動アプリケーション１６２を取得する。
【００８５】
ステップＳ１１５において、制御部１０７は、ユーザが指定するチャネルの放送番組をディスプレイ１０４に表示し、放送波の制御信号に従って連動アプリケーション１６２を起動する。制御部１０７は、連動アプリケーション１６２の処理により、放送番組と連動した通信コンテンツをサーバ２０等の外部の通信装置から取得して、取得した通信コンテンツをディスプレイ１０４へ表示する。制御部１０７は、時刻と、受信している放送波のチャネルとを対応付けて視聴チャネル情報として記録する。また、制御部１０７は、時刻と、ユーザによる無線通信装置１０への操作内容とを対応付けて機器操作情報１６３として記録する。
【００８６】
ステップＳ１１７において、制御部１０７は、ユーザによる無線通信装置１０への操作内容の記録を一定時間にわたって行ったか、または、操作内容を記録したログが一定量に達したかを判定する。ステップＳ１１７において、肯定的な判定結果の場合は（ステップＳ１１７においてＹＥＳ）、制御部１０７は、ステップＳ１１９の処理を行い、否定的な判定結果の場合は（ステップＳ１１７においてＮＯ）、ステップＳ１１５の処理へ戻る。
【００８７】
ステップＳ１１９において、制御部１０７は、機器操作情報１６３と視聴チャネル情報とをサーバ２０へ送信する。
【００８８】
ステップＳ２１１において、制御部２０７は、通信網９０を介して無線通信装置１０から機器操作情報を受信して記憶部２０６に機器操作情報２６１として記憶し、無線通信装置１０から視聴チャネル情報を受信して記憶部２０６に視聴チャネル情報２６２として記憶する。
【００８９】
ステップＳ２１３において、制御部２０７は、機器操作情報２６１に基づいて、無線通信装置１０のユーザが放送番組を視聴したか否かを無線通信装置ごとに判断し、判断結果を示す視聴データ２６３を記憶部２０６に記憶させる。
【００９０】
視聴データ収集システム１において、サーバ２０が機器操作情報２６１に基づいて視聴データ２６３を生成することにより、無線通信装置１０において、どの放送番組が表示されているかいう情報に加えて、ユーザが実際に放送番組を視聴していると判断されるか否かという情報を第三者等に提供することが可能となる。このような情報は、例えば、放送番組というコンテンツにかかわる事業者にとって有用なものである。
【００９１】
図９は、放送局９３がサーバ２０から視聴割合データ２６５を取得する処理を示すフローチャートである。図９では、放送局９３からの要求に応じて、サーバ２０が視聴割合データ２６５を放送局９３へ送信する例を示しているが、放送局９３が視聴割合データ２６５を要求する場合に限らず、サーバ２０から放送局９３へ視聴割合データ２６５を送信することとしてもよいし、サーバ２０が視聴データ２６３を更新する都度、視聴割合データ２６５を生成し、生成した視聴割合データ２６５を放送局９３へ送信することとしてもよい。
【００９２】
ステップＳ９３１において、放送局９３の情報処理装置は、視聴割合データ２６５をサーバ２０へ要求する。
【００９３】
ステップＳ２９１において、サーバ２０の制御部２０７は、放送局９３の情報処理装置から視聴割合データ２６５の要求を受信して、視聴データ２６３に基づき視聴割合データ２６５を生成する。
【００９４】
ステップＳ２９３において、制御部２０７は、生成した視聴割合データ２６５を放送局９３の情報処理装置へ送信する。
【００９５】
ステップＳ９３３において、放送局９３の情報処理装置は、サーバ２０から視聴割合データ２６５を受信する。
【００９６】
図１０は、番組製作会社９５がサーバ２０から番組視聴状況データ２６６を取得する処理を示すフローチャートである。図１０では、番組製作会社９５からの要求に応じて、サーバ２０が番組視聴状況データ２６６を番組製作会社９５へ送信する例を示しているが、この他にも、番組製作会社９５が番組視聴状況データ２６６を要求する場合に限らず、サーバ２０から番組製作会社９５へ番組視聴状況データ２６６を送信すること等としてもよい。
【００９７】
ステップＳ９５１において、番組製作会社９５の情報処理装置は、番組視聴状況データ２６６をサーバ２０へ要求する。
【００９８】
ステップＳ２９５において、サーバ２０の制御部２０７は、番組製作会社９５の情報処理装置から番組視聴状況データ２６６の要求を受信して、視聴データ２６３に基づき番組視聴状況データ２６６を生成する。
【００９９】
ステップＳ２９７において、制御部２０７は、生成した番組視聴状況データ２６６を番組製作会社９５の情報処理装置へ送信する。
【０１００】
ステップＳ９５３において、番組製作会社９５の情報処理装置は、サーバ２０から番組視聴状況データ２６６を受信する。
【０１０１】
ここで、サーバ２０が、機器操作情報２６１に基づいてユーザが放送番組を視聴したか否かを判断する処理について詳しく説明する。
【０１０２】
図１１は、機器操作情報２６１に基づいて、ユーザが放送番組を視聴したか否かをサーバ２０が判断するための判断基準２７４Ａを示す図である。図８に示すステップＳ２１３の処理において、サーバ２０の制御部２０７は、機器操作情報２６１に示される操作内容２６１Ａと、判断基準２７４Ａとを比較することにより、ユーザが放送番組を視聴したか否かを判断する。
【０１０３】
例えば、操作内容２６１Ａにおいて、無線通信装置１０に対するユーザの操作内容として、操作内容「連動アプリケーションに対する入力操作」が示されている場合に、制御部２０７は、判定結果「視聴している」を出力する。連動アプリケーションにより、放送番組と連動した通信コンテンツを無線通信装置１０において表示することで、放送番組に関連するサービスをユーザに提供している。そのため、連動アプリケーションに対するユーザの入力操作がなされた場合に、ユーザが放送番組を視聴している、と判定するよう判断基準２７４Ａにおいて定義されている。
【０１０４】
他にも、放送番組とは連動しないサービスをユーザに提供するための非連動アプリケーションが無線通信装置１０において動作している場合に、非連動アプリケーションへの入力操作がなされると、ユーザが放送番組を視聴していない、と判定するよう判断基準２７４Ａにおいて定義されている。
【０１０５】
このようにして、サーバ２０は、機器操作情報２６１に基づいて、ユーザが放送番組を視聴しているか否かを判断し、判断結果を視聴データ２６３として記憶部２０６に記憶させる。
【０１０６】
＜Ｂ．実施の形態２＞
図１２から図１４を参照して、実施の形態２の視聴データ収集システムについて説明する。
【０１０７】
＜Ｂ１．構成＞
図１２は、実施の形態２の無線通信装置１０Ｂの構成を示すブロック図である。実施の形態１の視聴データ収集システム１では、機器操作情報に基づく視聴可否の判断をサーバ２０が行っている。これに対し、実施の形態２では、機器操作情報に基づく視聴可否の判断を無線通信装置１０Ｂが行い、無線通信装置１０Ｂが視聴データを生成する。サーバ２０Ｂは、無線通信装置１０Ｂから視聴データを受信する。
【０１０８】
図１２に示すように、無線通信装置１０Ｂの記憶部１０６は、機器識別情報１６１と、連動アプリケーション１６２と、機器操作情報１６３と、視聴データ１６４とを記憶する。制御部１０７は、プログラムに従って動作することにより、放送受信再生部１７１と、通信コンテンツ受信再生部１７３と、視聴判断処理部１７４と、視聴データ送信部１７５としての機能を発揮する。
【０１０９】
視聴判断処理部１７４は、機器操作情報１６３に示される、放送波の受信時における無線通信装置１０に対するユーザの操作内容に基づいて、ユーザが放送波に示される放送番組を視聴したか否かを判断する。制御部１０７は、この視聴判断処理部１７４による判断結果を視聴データ１６４として記憶部１０６に記憶させる。
【０１１０】
視聴データ送信部１７５は、視聴データ１６４をサーバ２０Ｂに送信する。
視聴データ１６４は、機器操作情報１６３に示される、無線通信装置１０における放送波の受信時におけるユーザの操作内容に基づいて、ユーザが放送波に示される放送番組を視聴したか否かの判断結果を示すデータである。
【０１１１】
図１３は、実施の形態２のサーバ２０Ｂの構成を示すブロック図である。実施の形態２では、サーバ２０Ｂは、無線通信装置１０によって生成された視聴データ１６４を、各無線通信装置から受信する。制御部２０７は、プログラムに従って動作することにより、ストリームデータ送信部２７１と、アプリケーション送信部２７２と、データ解析配信部２７５と、視聴データ受信部２７６としての機能を発揮する。
【０１１２】
視聴データ受信部２７６は、それぞれの無線通信装置で生成される視聴データ１６４を各無線通信装置から受信する。
【０１１３】
＜Ｂ２．動作＞
図１４を参照して、実施の形態２の視聴データ収集システムの動作を説明する。
【０１１４】
図１４は、無線通信装置１０に対するユーザの操作内容に基づいて、ユーザが放送番組を受信したか否かを無線通信装置１０が判断し、判断結果を示す視聴データを生成し、生成した視聴データを無線通信装置１０がサーバ２０へ送信する処理を示すフローチャートである。
【０１１５】
ステップＳ１１１，Ｓ１１３，Ｓ１１５，Ｓ１１７の処理は、図８に示す実施の形態１の無線通信装置１０の処理と同一であるため、詳細な説明は繰り返さない。
【０１１６】
ステップＳ１２１において、無線通信装置１０の制御部１０７は、機器操作情報１６３に基づいて、無線通信装置１０のユーザが放送番組を視聴したか否かを判断し、判断結果を示す視聴データ１６４を記憶部１０６に記憶させる。
【０１１７】
ステップＳ１２３において、制御部１０７は、視聴データ１６４をサーバ２０へ送信する。
【０１１８】
ステップＳ２１５において、制御部２０７は、通信網９０を介して無線通信装置１０から視聴データ１６４を受信する。制御部２０７は、サーバ２０が接続する複数の無線通信装置のそれぞれから視聴データを受信して視聴データ２６３として記憶部２０６に記憶させる。
【０１１９】
このようにして、ユーザの操作内容に応じて、放送番組をユーザが視聴したか否かの判断結果を無線通信装置側で行うこととしてもよい。この場合、無線通信装置１０Ｂにおいて、放送番組をユーザが視聴しているか否かを判断しているため、判断結果に応じて、ユーザによる視聴を促す処理を無線通信装置１０Ｂが行うことができる。例えば、無線通信装置１０Ｂにおいて、機器操作情報１６３に基づき、ユーザが放送番組を視聴していないと判断される場合に、放送番組と連動するサービスをユーザが利用するための連動アプリケーションの利用を促す表示をディスプレイ１０４に行う等の、ユーザによる放送番組の視聴を促すための処理を、他の装置と通信することなく無線通信装置１０Ｂが実行することができる。
【０１２０】
＜Ｃ．実施の形態３＞
図１５から図２０を参照して、実施の形態３の視聴データ収集システム３について説明する。
【０１２１】
＜Ｃ１．構成＞
図１５は、実施の形態３の視聴データ収集システム３の構成を示す図である。図３に示すように、視聴データ収集システム３は、無線通信装置１０Ｃと、視聴データ提供装置４０と、サーバ２０Ｃとを含む。視聴データ提供装置４０はブロードバンドルータ３０と接続しており、ブロードバンドルータ３０を介して通信網９０と接続されている。
【０１２２】
実施の形態１および実施の形態２と比較すると、実施の形態３の視聴データ収集システム３では、視聴データ提供装置４０が放送波を受信して、放送番組をディスプレイに表示する。視聴データ提供装置４０は、放送と通信とを組み合わせたサービスをユーザに提供しており、連動アプリケーションを動作させることで、放送番組と連動した通信コンテンツをディスプレイに表示する。無線通信装置１０Ｃは、視聴データ提供装置４０と通信接続されており、視聴データ提供装置４０に対する入力操作を受け付けて、視聴データ提供装置４０に対するリモートコントロール機器として機能する。例えば、視聴データ提供装置４０のメーカーにより、視聴データ提供装置４０をリモートコントロールするためのアプリケーションが提供されており、このアプリケーションを無線通信装置１０Ｃにインストールしておくことで、無線通信装置１０Ｃは、視聴データ提供装置４０のリモートコントロール機器として機能する。また、無線通信装置１０Ｃは、視聴データ提供装置４０と接続しているため、視聴データ提供装置４０が受信する通信コンテンツを視聴データ提供装置４０から受信して、無線通信装置１０Ｃのディスプレイに通信コンテンツを表示することもある。これにより、ユーザは、例えば手元にある無線通信装置１０Ｃにより、通信コンテンツを利用することができる。視聴データ提供装置４０は、無線通信装置１０Ｃへのユーザの操作内容を示す機器操作情報を無線通信装置１０Ｃから受信して、受信した機器操作情報に基づいて、ユーザが放送番組を視聴したか否かを判断し、判断結果を視聴データとして記録する。
【０１２３】
図１６は、実施の形態３の無線通信装置１０Ｃの構成を示すブロック図である。無線通信装置１０Ｃの記憶部１０６は、連携操作アプリケーション１６５を記憶している。
【０１２４】
連携操作アプリケーション１６５は、無線通信装置１０Ｃと視聴データ提供装置４０とを接続し、視聴データ提供装置４０に対する操作を無線通信装置１０Ｃが受け付けて視聴データ提供装置４０へ送信するためのアプリケーションである。すなわち、連携操作アプリケーション１６５は、無線通信装置１０Ｃを視聴データ提供装置４０のリモートコントロール機器として機能させるためのアプリケーションであり、無線通信装置１０Ｃと視聴データ提供装置４０とを連携させて、視聴データ提供装置４０への入力操作を無線通信装置１０Ｃによって受け付ける。また、無線通信装置１０Ｃは、視聴データ提供装置４０が放送番組と連動したサービスをユーザに提供するために受信する通信コンテンツなどの、放送番組に関する情報を視聴データ提供装置４０から受信して、ディスプレイ１０４により表示する。
【０１２５】
制御部１０７は、プログラムに従って動作することにより、操作情報送信部１７２と、機器発見処理部１７６と、連携操作処理部１７７としての機能を発揮する。
【０１２６】
機器発見処理部１７６は、接続する対象となる視聴データ提供装置４０を探索する。例えば、無線通信装置１０Ｃは、Bluetooth（登録商標）、無線ＬＡＮ（Local  Area  Network）規格などの近距離無線通信用の通信方式に従って、接続する対象となる視聴データ提供装置４０を探索する。
【０１２７】
連携操作処理部１７７は、無線通信装置１０Ｃと視聴データ提供装置４０とを連携させて、視聴データ提供装置４０への入力操作を入力操作受付部１０３によって受け付けて、受け付けた操作内容を視聴データ提供装置４０へ送信する。
【０１２８】
操作情報送信部１７２は、入力操作受付部１０３に対するユーザの操作内容を示す機器操作情報１６３を生成し、生成された機器操作情報１６３を視聴データ提供装置４０へ送信する。
【０１２９】
図１７は、実施の形態３の視聴データ提供装置４０の構成を示すブロック図である。図１７を参照して、視聴データ提供装置４０は、アンテナ４０１Ａ，４０１Ｂと、放送波受信部４０２Ａと、無線通信部４０２Ｂと、入力操作受付部４０３と、ディスプレイ４０４と、スピーカ４０５と、記憶部４０６と、制御部４０７と、通信インターフェース４０８とを含む。
【０１３０】
アンテナ４０１Ａは、放送送信所９１から送出される放送波を受信して、受信信号を放送波受信部４０２Ａへ与える。放送波受信部４０２Ａは、放送波を受信するためのモジュールであり、視聴データ提供装置４０が受信する放送波の変復調等を行い、受信信号を制御部４０７へ与える。
【０１３１】
アンテナ４０１Ｂは、視聴データ提供装置４０が発する信号を電波として空間へ放射する。また、アンテナ４０１Ｂは、空間から電波を受信して受信信号を無線通信部４０２Ｂへ与える。無線通信部４０２Ｂは、視聴データ提供装置４０が他の通信機器と通信するため、アンテナ４０１Ｂ等を介して信号を送受信するための変復調処理などを行う。無線通信部４０２Ｂは、チューナー、高周波回路などを含む無線通信用の通信モジュールであり、視聴データ提供装置４０が送受信する無線信号の変復調や周波数変換を行い、受信信号を制御部４０７へ与える。
【０１３２】
入力操作受付部４０３は、ユーザの入力操作を受け付けるための部材である。
ディスプレイ４０４は、例えばＬＣＤ等によって実現され、制御部４０７の制御に従って、映像信号に基づき映像を表示する。例えば、ディスプレイ４０４は、視聴データ提供装置４０がアンテナ４０１Ａ等を介して受信する放送波に示される放送番組などの映像信号を表示する。スピーカ４０５は、音声信号に基づき音声を出力する。
【０１３３】
記憶部４０６は、ＲＡＭ等により構成され、視聴データ提供装置４０が使用するデータおよびプログラムを記憶する。ある局面において、記憶部４０６は、装置識別情報４６１と、連動アプリケーション４６２と、機器操作情報４６３と、視聴データ４６４とを記憶する。
【０１３４】
装置識別情報４６１は、視聴データ提供装置４０の機器そのものを識別する情報である。例えば、視聴データ提供装置４０の製造者によって付与された、機器に固有のＩＤである。連動アプリケーション４６２は、例えば、放送番組と連動したサービスを利用するためのアプリケーションである。ユーザは、放送番組を視聴する際に、連動アプリケーション４６２を利用することで、放送と通信とが連携したサービスを利用することができる。機器操作情報４６３は、無線通信装置１０Ｃに対するユーザの操作内容を示す情報であり、無線通信装置１０Ｃから受信した機器操作情報を、制御部４０７が記憶部４０６に記憶させたものである。視聴データ４６４は、機器操作情報４６３に示される、無線通信装置１０Ｃにおける放送波の受信時におけるユーザの操作内容に基づいて、ユーザが放送波に示される放送番組を視聴したか否かの判断結果を示すデータである。
【０１３５】
制御部４０７は、記憶部４０６に記憶される制御プログラムを読み込んで実行することにより、視聴データ提供装置４０の動作を制御する。制御部４０７は、例えばプロセッサにより実現される。制御部４０７は、プログラムに従って動作することにより、放送受信再生部４７１と、端末連携処理部４７２と、通信コンテンツ受信再生部４７３と、視聴判断処理部４７４と、視聴データ送信部４７５としての機能を発揮する。
【０１３６】
放送受信再生部４７１は、視聴データ提供装置４０が放送送信所９１から送出される放送波を受信して、受信信号に示される放送番組をディスプレイ４０４によって再生する。放送受信再生部４７１は、受信している放送波のチャネルを示す視聴チャネル情報を取得する。
【０１３７】
端末連携処理部４７２は、視聴データ提供装置４０のリモートコントロール機器として機能する無線通信装置１０Ｃと信号を送受信する。端末連携処理部４７２は、例えば、無線通信装置１０Ｃへのユーザの操作内容を示す機器操作情報１６３と、視聴データ提供装置４０へのリモートコントロールによる操作を示す信号とを無線通信装置１０Ｃから受信する。また、端末連携処理部４７２は、サーバ２０Ｃから受信する通信コンテンツを無線通信装置１０Ｃにおいても利用可能とするため、受信した通信コンテンツを無線通信装置１０Ｃへ送信する。
【０１３８】
通信コンテンツ受信再生部４７３は、放送と通信とを組み合わせたサービスを利用するため、連動アプリケーション４６２を実行し、連動アプリケーション４６２の処理により、インターネット経由でサーバ２０Ｃからコンテンツ（通信コンテンツ）を受信する処理と、受信した通信コンテンツを再生してディスプレイ４０４に表示する処理とを行う。例えば、放送送信所９１が送出する放送波に、起動すべき連動アプリケーションを指定した制御信号が含まれている。視聴データ提供装置４０は、制御信号により指定される連動アプリケーションを起動して、放送番組と連動した通信コンテンツを利用するための処理を行う。
【０１３９】
視聴判断処理部４７４は、機器操作情報４６３に示される、放送波の受信時における無線通信装置１０Ｃに対するユーザの操作内容に基づいて、ユーザが放送波に示される放送番組を視聴したか否かを判断する。制御部４０７は、この視聴判断処理部４７４による判断結果と、視聴データ提供装置４０が受信している放送波のチャネルを示す視聴チャネル情報とを対応付けて視聴データ４６４として記憶部４０６に記憶させる。
【０１４０】
視聴データ送信部４７５は、視聴データ４６４をサーバ２０Ｃに送信する。
通信インターフェース４０８は、通信規格に従って信号の入出力を行うためのインターフェースであり、例えば、ブロードバンドルータ３０等の機器と信号を送受信するためのインターフェースとして機能する。
【０１４１】
図１８は、実施の形態３のサーバ２０Ｃの構成を示すブロック図である。実施の形態３では、サーバ２０Ｃは、視聴データ提供装置４０によって生成された視聴データ４６４を、複数の視聴データ提供装置から受信する。
【０１４２】
制御部２０７は、プログラムに従って動作することにより、ストリームデータ送信部２７１と、アプリケーション送信部２７２と、データ解析配信部２７５と、視聴データ受信部２７６としての機能を発揮する。視聴データ受信部２７６は、それぞれの視聴データ提供装置で生成される視聴データ４６４を、各視聴データ提供装置から受信する。
【０１４３】
記憶部２０６は、視聴データ２６３Ｚと、番組表情報２６４と、視聴割合データ２６５と、番組視聴状況データ２６６とを記憶する。視聴データ２６３Ｚは、それぞれの視聴データ提供装置における視聴チャネル情報と、視聴判断処理部４７４による判断結果とを時刻と対応付けた情報である。
【０１４４】
＜Ｃ２．データ構造＞
図１９を参照して、実施の形態３の視聴データ収集システム３で使用されるデータのデータ構造について説明する。
【０１４５】
図１９は、視聴データ２６３Ｚのデータ構造を示す図である。サーバ２０Ｃは、各視聴データ提供装置から、視聴データ４６４を受信する。図１９に示すように、視聴データ２６３Ｚの各レコードは、装置識別情報２６３Ｅと、視聴チャネル２６３Ｂと、視聴可否判断結果２６３Ｃと、時刻２６３Ｄとを含む。
【０１４６】
装置識別情報２６３Ｅは、サーバ２０Ｃが通信網９０を介して接続する各視聴データ提供装置の識別情報（装置識別情報４６１）を示す。視聴チャネル２６３Ｂは、各視聴データ提供装置において受信した放送波のチャネルの情報を示す。視聴可否判断結果２６３Ｃは、視聴データ提供装置４０が、機器操作情報４６３に基づいて、ユーザが放送番組を視聴したか否かの判断処理を行った結果を示す。視聴データ提供装置４０は、例えば、一定の時間間隔をあけた各時点について、機器操作情報４６３に基づいて、ユーザが放送番組を視聴したか否かの判断処理を行う。
【０１４７】
＜Ｃ３．動作＞
図２０を参照して、実施の形態３の視聴データ収集システム３の動作を説明する。
【０１４８】
図２０は、視聴データ提供装置４０の制御部４０７が、無線通信装置１０Ｃの機器操作情報に基づいて、ユーザが放送番組を視聴したか否かを判断する処理を示すフローチャートである。
【０１４９】
ステップＳ１３１において、無線通信装置１０Ｃの制御部１０７は、連携操作アプリケーション１６５を起動し、視聴データ提供装置４０を探索して視聴データ提供装置４０と接続する。
【０１５０】
ステップＳ４１１において、視聴データ提供装置４０の制御部４０７は、例えば地上波デジタル放送の受信と、受信した放送波に示される放送番組のディスプレイ４０４による表示を開始する。ステップＳ４１３において、制御部４０７は、放送番組と連動した通信コンテンツを表示するための連動アプリケーション４６２を起動する。ステップＳ４１５において、制御部４０７は、ユーザが指定するチャネルの放送番組をディスプレイ４０４に表示し、放送波の制御信号に従って連動アプリケーション４６２を起動する。制御部４０７は、連動アプリケーション４６２の処理により、放送番組と連動した通信コンテンツをサーバ２０Ｃ等の外部の通信装置から取得して、取得した通信コンテンツをディスプレイ４０４へ表示し、無線通信装置１０Ｃへ通信コンテンツを送信する。
【０１５１】
ステップＳ１３３において、無線通信装置１０Ｃの制御部１０７は、通信コンテンツなど、放送番組に関する情報を視聴データ提供装置４０等から受信してディスプレイ１０４に表示する。ステップＳ１３５において、制御部１０７は、機器操作情報１６３を、逐次、記憶部１０６に記録して、機器操作情報１６３を視聴データ提供装置４０へ送信する。
【０１５２】
ステップＳ４１７において、視聴データ提供装置４０の制御部４０７は、機器操作情報１６３を無線通信装置１０Ｃから受信して、時刻と対応付けて機器操作情報４６３として記憶部４０６に記録する。ステップＳ４１９において、制御部４０７は、機器操作情報４６３の記録を一定時間にわたって行ったか、または、機器操作情報４６３のログが一定量に達したかを判定する。ステップＳ４１９において、肯定的な判定結果の場合は（ステップＳ４１９においてＹＥＳ）、制御部４０７は、ステップＳ４２１の処理を行い、否定的な判定結果の場合は（ステップＳ４１９においてＮＯ）、ステップＳ４１５の処理へ戻る。ステップＳ４２１において、制御部４０７は、機器操作情報４６３に基づいて、ユーザが放送番組を視聴したか否かを判断し、判断結果を示す視聴データ４６４を記憶部４０６に記憶させる。ステップＳ４２３において、制御部４０７は、サーバ２０Ｃへ視聴データ４６４を送信する。
【０１５３】
ステップＳ２１７において、サーバ２０Ｃの制御部２０７は、視聴データ提供装置４０から、視聴データ４６４を受信して記憶部２０６に記憶させる。
【０１５４】
このようにして、視聴データ提供装置４０は、無線通信装置１０Ｃから受信する機器操作情報に基づいて、ユーザが放送番組を視聴しているか否かを判断し、判断結果を視聴データ４６４として記憶部４０６に記憶させる。視聴データ提供装置４０において、ユーザが放送番組を視聴しているか否かを判断しているため、例えば、ユーザが放送番組を視聴していないと判断される場合に、ユーザによる放送番組の視聴を促すための処理を視聴データ提供装置４０が他の通信装置と通信することなく行うことができる。例えば、視聴データ提供装置４０は、連動アプリケーションによる通信コンテンツの表示を、ユーザが放送番組を視聴しているか否かに応じて変化させることとしてもよい。これにより、ユーザによる放送番組の視聴を促すことができ、通信コンテンツなどのユーザによる利用を促進することができる。
【０１５５】
＜Ｄ．実施の形態４＞
図２１から図２５を参照して、実施の形態４の視聴データ収集システム４について説明する。
【０１５６】
図２１は、実施の形態４の視聴データ提供システム４の構成を示す図である。実施の形態３の視聴データ収集システム３と比較すると、実施の形態４の視聴データ収集システム４において、視聴データ提供装置４０Ｄ（例えば、ＳＴＢ（Set  Top  Box））は、テレビ放送の受信および再生の機能を有しておらず、ＴＶ放送表示装置５０と接続する。ＴＶ放送表示装置５０は、テレビ放送の受信機能を有している。
【０１５７】
無線通信装置１０Ｄは、ＴＶ放送表示装置５０を遠隔操作するためのリモートコントロール機能を有する。また、無線通信装置１０Ｄは、視聴データ提供装置４０Ｄと接続する。放送番組は、ＴＶ放送表示装置５０が放送送信所９１から放送波を受信することでＴＶ放送表示装置５０のディスプレイに表示される。放送番組に連動するコンテンツは、視聴データ提供装置４０Ｄがサーバ２０Ｄと接続して、放送番組と連動する通信コンテンツをサーバ２０Ｄから受信し、受信した通信コンテンツを視聴データ提供装置４０Ｄが無線通信装置１０Ｄへ送信することで、無線通信装置１０Ｄのディスプレイに表示されることとして説明するが、これに限られない。例えば、無線通信装置１０ＤがＴＶ放送表示装置５０と通信することにより、ＴＶ放送表示装置５０が受信する放送波の制御信号に従って、通信コンテンツを受信するためのＵＲＬ等を抽出し、抽出したＵＲＬに示されるアドレスへ、通信網９０を介してアクセスすることで通信コンテンツを取得することとしてもよい。
【０１５８】
視聴データ提供装置４０Ｄは、無線通信装置１０Ｄと接続し、無線通信装置１０Ｄの機器操作情報を無線通信装置１０Ｄから受信する。視聴データ提供装置４０Ｄは、無線通信装置１０Ｄに対するユーザの操作内容に基づいて、ユーザが放送番組を視聴しているか否かを判断し、判断結果を示す視聴データを生成する。
【０１５９】
＜Ｄ１．構成＞
図２２は、実施の形態４の無線通信装置１０Ｄの構成を示す図である。
【０１６０】
連携操作アプリケーション１６５は、無線通信装置１０ＤとＴＶ放送表示装置５０とを接続し、ＴＶ放送表示装置５０に対する操作を無線通信装置１０Ｄが受け付けてＴＶ放送表示装置５０へ送信するためのアプリケーションである。すなわち、連携操作アプリケーション１６５は、無線通信装置１０ＤをＴＶ放送表示装置５０のリモートコントロール機器として機能させるためのアプリケーションであり、無線通信装置１０ＤとＴＶ放送表示装置５０とを連携させて、ＴＶ放送表示装置５０への入力操作を無線通信装置１０Ｄによって受け付ける。
【０１６１】
なお、実施の形態４において、無線通信装置１０Ｄは、放送番組と連動したサービスをユーザに提供するための通信コンテンツなどの、放送番組に関する情報を視聴データ提供装置４０Ｄから受信して、ディスプレイ１０４により表示する。すなわち、視聴データ提供装置４０Ｄは、サーバ２０Ｄ等の外部の機器と接続し、サーバ２０Ｄ等から制御信号を受信して、制御信号に基づいて、放送番組と連動する通信コンテンツなどをサーバ２０Ｄ等から受信する。視聴データ提供装置４０Ｄは、受信した通信コンテンツなどを無線通信装置１０Ｄ等に送信する。
【０１６２】
機器発見処理部１７６は、接続する対象となるＴＶ放送表示装置５０と視聴データ提供装置４０Ｄとを探索する。例えば、無線通信装置１０Ｄは、Bluetooth（登録商標）、無線ＬＡＮ規格などの近距離無線通信用の通信方式に従って、接続する対象となるＴＶ放送表示装置５０および視聴データ提供装置４０Ｄを探索する。
【０１６３】
連携操作処理部１７７は、無線通信装置１０ＤとＴＶ放送表示装置５０とを連携させて、ＴＶ放送表示装置５０への入力操作を入力操作受付部１０３によって受け付けて、受け付けた操作内容をＴＶ放送表示装置５０へ送信する。
【０１６４】
操作情報送信部１７２は、入力操作受付部１０３に対するユーザの操作内容を示す機器操作情報１６３を生成し、生成された機器操作情報１６３を視聴データ提供装置４０Ｄへ送信する。
【０１６５】
図２３は、実施の形態４の視聴データ提供装置４０Ｄの構成を示すブロック図である。図２３を参照して、視聴データ提供装置４０Ｄは、アンテナ４０１Ａ，４０１Ｂと、無線通信部４０２Ｂと、無線通信部４０２Ｃと、入力操作受付部４０３と、記憶部４０６と、制御部４０７と、通信インターフェース４０８と、入出力インターフェース４０９とを含む。
【０１６６】
無線通信部４０２Ｃは、視聴データ提供装置４０が他の通信機器と通信するため、アンテナ４０１Ａ等を介して信号を送受信するための変復調処理などを行う。
【０１６７】
制御部４０７は、プログラムに従って動作することにより、端末連携処理部４７２と、通信コンテンツ受信再生部４７３と、視聴判断処理部４７４と、視聴データ送信部４７５としての機能を発揮する。
【０１６８】
入出力インターフェース４０９は、視聴データ提供装置４０Ｄが外部の機器と接続するためのインターフェースである。例えば、視聴データ提供装置４０Ｄは、入出力インターフェース４０９によりＴＶ放送表示装置５０と接続して、ＴＶ放送表示装置５０に通信コンテンツ等の映像信号を出力する。
【０１６９】
図２４は、実施の形態４のサーバ２０Ｄの構成を示すブロック図である。サーバ２０Ｄは、視聴データ提供装置４０Ｄに対し制御信号を送信することにより、放送番組と連動するコンテンツを利用するための連動アプリケーションの情報などを視聴データ提供装置４０Ｄへ通知する。
【０１７０】
＜Ｄ２．動作＞
図２５を参照して、実施の形態４の視聴データ収集システム４の動作を説明する。
【０１７１】
図２５は、視聴データ提供装置４０Ｄの制御部４０７が、無線通信装置１０Ｄの機器操作情報に基づいて、ユーザが放送番組を視聴したか否かを判断する処理を示すフローチャートである。
【０１７２】
ステップＳ１３０において、無線通信装置１０Ｄの制御部１０７は、連携操作アプリケーション１６５を起動し、ＴＶ放送表示装置５０と接続して、ＴＶ放送表示装置５０で受信するチャネルを指定して、指定した視聴チャネルをＴＶ放送表示装置５０へ送信する。
【０１７３】
ステップＳ１３２において、制御部１０７は、連携操作アプリケーション１６５を起動し、視聴データ提供装置４０Ｄを探索して接続する。制御部１０７は、ステップＳ１３０で指定した視聴チャネル情報を視聴データ提供装置４０Ｄへ送信する。
【０１７４】
ステップＳ４１２において、視聴データ提供装置４０Ｄの制御部４０７は、サーバ２０Ｄと接続して、無線通信装置１０Ｄから受信した視聴チャネル情報をサーバ２０Ｄへ送信することにより、サーバ２０Ｄから、視聴チャネル情報に示されるチャネルの放送番組と連動する通信コンテンツを表示するための連動アプリケーション４６２を取得する。制御部４０７は、連動アプリケーション４６２を起動する。
【０１７５】
ステップＳ４１４において、制御部４０７は、サーバ２０Ｄから受信する制御信号に従って、アプリケーションによる処理を実行し、通信コンテンツを無線通信装置１０Ｄにより表示させるために無線通信装置１０Ｄに通信コンテンツを送信する。
【０１７６】
ステップＳ１３３において、無線通信装置１０Ｄの制御部１０７は、視聴データ提供装置４０Ｄから、放送番組に関連する情報（通信コンテンツなど）を受信してディスプレイ１０４に表示する。
【０１７７】
実施の形態３では、視聴データ提供装置４０Ｃが、放送波の受信機能と、視聴データの生成機能とを有している場合について説明した。実施の形態４で説明したように、放送波の受信機能と、視聴データの生成機能とが別々の装置によって発揮される場合においても、無線通信装置１０Ｄ等の端末に対するユーザの操作内容に基づいて、ユーザが放送番組を視聴したか否かを判断することができる。例えば、各家庭において、デジタル放送を受信するテレビ受信機と、インターネットに接続して動画投稿サイトからの動画データを受信する機能等を有するＳＴＢとが設置されている場合においても、端末に対するユーザの操作内容に基づいて、ユーザがテレビの放送番組を視聴しているか否かを判断することができる。すなわち、ＳＴＢに、視聴データ提供装置４０Ｄとしての機能を発揮させるためのプログラムをインストールし、ユーザが操作する無線通信装置に、無線通信装置１０Ｄとしての機能を発揮させるためのアップデートを行うことで、実施の形態４の視聴データ収集システム４を実現することもできる。
【０１７８】
＜Ｅ．実施の形態５＞
図２６から図２８を参照して、実施の形態５の視聴データ収集システムについて説明する。実施の形態５の視聴データ収集システムの構成について説明すると、図１５に示す実施の形態３の視聴データ収集システム３の構成における視聴データ提供装置４０が、実施の形態５では操作情報提供装置４０Ｅにより構成される。また、実施の形態３のサーバ２０Ｃが、実施の形態５の視聴データ提供システムではサーバ２０Ｅにより構成される。
【０１７９】
実施の形態３の視聴データ収集システム３と比較すると、実施の形態３では、無線通信装置１０Ｃへのユーザの操作内容を示す機器操作情報に基づいてユーザが放送番組を視聴したか否かの判断を、視聴データ提供装置４０が行っている。これに対し、実施の形態５の視聴データ収集システムでは、操作情報提供装置４０Ｅは、無線通信装置１０Ｃへのユーザの操作内容を示す機器操作情報を無線通信装置１０Ｃから受信して、受信した機器操作情報をサーバ２０Ｅへ送信する。サーバ２０Ｅは、機器操作情報に基づいてユーザが放送番組を視聴したか否かの判断を行い、判断結果を示す視聴データを記憶する。すなわち、機器操作情報に基づくユーザの視聴可否の判断を行う主体が、実施の形態３では視聴データ提供装置４０であったのに対し、実施の形態５ではサーバ２０Ｅとなる。
【０１８０】
＜Ｅ１．構成＞
図２６は、実施の形態５の操作情報提供装置４０Ｅの構成を示すブロック図である。図２６を参照して、操作情報提供装置４０Ｅは、アンテナ４０１Ａ，４０１Ｂと、放送波受信部４０２Ａと、無線通信部４０２Ｂと、入力操作受付部４０３と、ディスプレイ４０４と、スピーカ４０５と、記憶部４０６と、制御部４０７と、通信インターフェース４０８とを含む。記憶部４０６は、ある局面において、装置識別情報４６１と、連動アプリケーション４６２と、機器操作情報４６３とを記憶する。制御部４０７は、プログラムに従って動作することにより、放送受信再生部４７１と、端末連携処理部４７２と、通信コンテンツ受信再生部４７３と、操作情報送信部４７６としての機能を発揮する。
【０１８１】
操作情報送信部４７６は、無線通信装置１０Ｃから受信して記憶部４０６に記憶される機器操作情報４６３を、サーバ２０Ｅへ送信する。
【０１８２】
図２７は、サーバ２０Ｅの構成を示すブロック図である。実施の形態５では、サーバ２０Ｅは、複数の操作情報提供装置から、機器操作情報を受信する。
【０１８３】
制御部２０７は、プログラムに従って動作することにより、ストリームデータ送信部２７１と、アプリケーション送信部２７２と、操作情報受信部２７３と、視聴判断処理部２７４と、データ解析配信部２７５としての機能を発揮する。操作情報受信部２７３は、各操作情報提供装置から、機器操作情報を受信して、記憶部２０６に機器操作情報２６１として記憶させる。
【０１８４】
記憶部２０６は、機器操作情報２６１と、視聴チャネル情報２６２と、視聴データ２６３Ｚと、番組表情報２６４と、視聴割合データ２６５と、番組視聴状況データ２６６とを記憶する。視聴データ２６３Ｚは、それぞれの操作情報提供装置における視聴チャネル情報と、視聴判断処理部２７４による判断結果とを時刻と対応付けた情報である。
【０１８５】
＜Ｅ２．動作＞
図２８を参照して、実施の形態５の視聴データ収集システムの動作を説明する。
【０１８６】
図２８は、無線通信装置１０Ｃの機器操作情報を操作情報提供装置４０Ｅが収集し、ユーザが放送番組を視聴したか否かをサーバ２０Ｅが判断し、判断結果を示す視聴データを生成する処理を示すフローチャートである。
【０１８７】
ステップＳ１４１において、無線通信装置１０Ｃの制御部１０７は、連携操作アプリケーション１６５を起動し、操作情報提供装置４０Ｅを探索して操作情報提供装置４０Ｅと接続する。
【０１８８】
ステップＳ４１１において、操作情報提供装置４０Ｅの制御部４０７は、例えば地上波デジタル放送の受信と、受信した放送波に示される放送番組のディスプレイ４０４による表示を開始する。ステップＳ４１３において、制御部４０７は、放送番組と連動した通信コンテンツを表示するための連動アプリケーション４６２を起動する。ステップＳ４１５において、制御部４０７は、ユーザが指定するチャネルの放送番組をディスプレイ４０４に表示し、放送波の制御信号に従って連動アプリケーション４６２を起動する。制御部４０７は、連動アプリケーション４６２の処理により、放送番組と連動した通信コンテンツをサーバ２０Ｅ等の外部の通信装置から取得して、取得した通信コンテンツをディスプレイ４０４へ表示する。
【０１８９】
ステップＳ１４３において、無線通信装置１０Ｃの制御部１０７は、通信コンテンツなど、放送番組に関する情報を操作情報提供装置４０Ｅから受信してディスプレイ１０４に表示する。ステップＳ１４５において、制御部１０７は、機器操作情報１６３を、逐次、記憶部１０６に記録して、機器操作情報１６３を操作情報提供装置４０Ｅへ送信する。
【０１９０】
ステップＳ４１８において、操作情報提供装置４０Ｅの制御部４０７は、機器操作情報１６３を無線通信装置１０Ｃから受信して、時刻と対応付けて機器操作情報４６３として記憶部４０６に記録する。また、制御部４０７は、操作情報提供装置４０Ｅが受信している放送波のチャネルと、時刻とを対応付けて視聴チャネル情報として記憶部４０６等の記憶領域に記録する。
【０１９１】
ステップＳ４１９において、制御部４０７は、機器操作情報４６３の記録を一定時間にわたって行ったか、または、機器操作情報４６３のログが一定量に達したかを判定する。ステップＳ４１９において、肯定的な判定結果の場合は（ステップＳ４１９においてＹＥＳ）、制御部４０７は、ステップＳ４２５の処理を行い、否定的な判定結果の場合は（ステップＳ４１９においてＮＯ）、ステップＳ４１５の処理へ戻る。
【０１９２】
ステップＳ４２５において、制御部４０７は、機器操作情報４６３と視聴チャネル情報とをサーバ２０Ｅへ送信する。
【０１９３】
ステップＳ２２１において、サーバ２０Ｅの制御部２０７は、通信網９０を介して操作情報提供装置４０Ｅから機器操作情報を受信して記憶部２０６に機器操作情報２６１として記憶させ、操作情報提供装置４０Ｅから視聴チャネル情報を受信して記憶部２０６に視聴チャネル情報２６２として記憶させる。
【０１９４】
ステップＳ２２３において、制御部２０７は、機器操作情報２６１に基づいて、無線通信装置１０のユーザが放送番組を視聴したか否かを無線通信装置ごとに判断し、判断結果を示す視聴データ２６３Ｚを記憶部２０６に記憶させる。
【０１９５】
このようにして、実施の形態５の視聴データ収集システムは、操作情報提供装置４０Ｅにおいて、どの放送番組が表示されているかという情報に加えて、無線通信装置１０Ｃに対するユーザの操作内容に基づいて、ユーザが実際に放送番組を視聴していると判断されるか否かという情報を第三者等に提供することが可能となる。
【０１９６】
＜Ｆ．実施の形態６＞
図２９から図３５を参照して、実施の形態６の視聴データ収集システム６について説明する。実施の形態３の視聴データ収集システム３において、視聴データ提供装置４０と接続する通信装置が無線通信装置１０Ｃであるのに対し、実施の形態６では、視聴データ提供装置４０Ｆが、複数の無線通信装置と接続し、これら複数の無線通信装置へのユーザの操作内容に基づいて、ユーザが放送番組を視聴しているか否かを判断する。
【０１９７】
＜Ｆ１．構成＞
図２９は、実施の形態６の視聴データ収集システム６の構成を示す図である。図２９に示すように、視聴データ収集システム６は、無線通信装置１０Ｃと、視聴データ提供装置４０Ｆと、サーバ２０Ｃとを含む。視聴データ提供装置４０Ｆはブロードバンドルータ３０と接続しており、ブロードバンドルータ３０を介して通信網９０と接続されている。視聴データ提供装置４０Ｆは、無線通信装置１０Ｃの他に、複数の無線通信装置１１（図２９では、無線通信装置１１として、照明装置１１Ａ、リモコン１１Ｂ、鏡１１Ｃ、パーソナルコンピュータ１１Ｄ、ソファ１１ＥおよびＷｅｂカメラ１１Ｆを示す）と通信接続する。各無線通信装置は、無線通信装置へのユーザの操作内容を示す機器操作情報を生成し、生成した機器操作情報を視聴データ提供装置４０Ｆへ送信する。視聴データ提供装置４０Ｆは、これら複数の無線通信装置から機器操作情報を受信して、複数の無線通信装置へのユーザの操作内容に基づいて、ユーザが放送番組を視聴しているか否かを判断する。
【０１９８】
図３０は、実施の形態６の視聴データ提供装置４０Ｆの構成を示すブロック図である。図３０に示すように、視聴データ提供装置４０Ｆは、無線通信装置１０ｃおよび無線通信装置１１など、複数の無線通信装置から、各無線通信装置における機器操作情報１６３を受信して、記憶部４０６に機器操作情報４６３として記憶させる。
【０１９９】
＜Ｆ２．データ構造＞
図３１を参照して、実施の形態６の視聴データ収集システム６で使用されるデータのデータ構造について説明する。
【０２００】
図３１は、機器操作情報４６３のデータ構造を示す図である。図３１に示すように、視聴データ提供装置４０Ｆは、複数の無線通信装置（無線通信装置１０Ｃおよび無線通信装置１１）それぞれについて、各無線通信装置へのユーザの操作内容と、操作がなされた時刻とを対応付けて記憶部４０６に機器操作情報４６３として記憶させている。機器操作情報４６３の各レコードは、操作内容４６３Ａと、操作時刻４６３Ｂと、機器識別情報４６３Ｃとを含む。
【０２０１】
操作内容４６３Ａは、無線通信装置１０または無線通信装置１１の入力操作受付部を介してユーザから受け付けた操作の内容を示す。操作時刻４６３Ｂは、操作内容４６３Ａに示される操作が行われた時刻を示す。機器識別情報４６３Ｃは、無線通信装置それぞれを識別するための情報である。
【０２０２】
＜Ｆ３．動作＞
図３２から図３５を参照して、実施の形態６の視聴データ提供装置４０Ｆが、複数の無線通信装置と通信することにより、ユーザが放送番組を視聴したか否かを判断する処理について説明する。視聴データ提供装置４０Ｆは、通信対象となる複数の無線通信装置のそれぞれについて、機器操作情報に基づいて、ユーザの視聴可否を判断する。視聴データ提供装置４０Ｆは、これら各無線通信装置についてのユーザの視聴可否の判断結果を用いて、ユーザが放送番組を視聴したか否かを判断する。
【０２０３】
図３２は、視聴データ提供装置４０Ｆの制御部４０７が、複数の無線通信装置の機器操作情報に基づいて、ユーザが放送番組を視聴したか否かを判断する処理を示すフローチャートである。
【０２０４】
ステップＳ４４１において、制御部４０７は、複数の無線通信装置それぞれについて、各無線通信装置から受信した機器操作情報に基づいて、ユーザによる放送番組の視聴可否を判断する。すなわち、制御部４０７は、無線通信装置それぞれについて、機器操作情報に基づき、ユーザが放送番組を視聴したか否かの判断結果を出力する。
【０２０５】
ステップＳ４４３において、制御部４０７は、視聴データ提供装置４０Ｆが通信する複数の無線通信装置のうち、ユーザが放送番組を視聴していると判断される無線通信装置の数が、視聴していないと判断される無線通信装置の数より多いか否かを判断する。ステップＳ４４３において、視聴していると判断される無線通信装置の数が、視聴していないと判断される無線通信装置の数より多いと判断される場合（ステップＳ４４３においてＹＥＳ）、制御部４０７は、ステップＳ４４５の処理を行い、そうでない場合（ステップＳ４４３においてＮＯ）、ステップＳ４４７の処理を行う。
【０２０６】
ステップＳ４４５において、制御部４０７は、ユーザが放送番組を視聴していると判断し、判断結果を示す視聴データ４６４を生成して記憶部４０６に記憶させる。
【０２０７】
ステップＳ４４７において、制御部４０７は、ユーザが放送番組を視聴していないと判断し、判断結果を示す視聴データ４６４を生成して記憶部４０６に記憶させる。
【０２０８】
ステップＳ４４１で説明したように、制御部４０７は、複数の無線通信装置のそれぞれについて、ユーザの視聴可否を判断する。図２９に示したように、無線通信装置には様々なものがあるため、各無線通信装置について、無線通信装置への操作内容と、放送番組の視聴可否の判断結果とを対応付けた判断基準があることが望ましい。
【０２０９】
図３３は、機器操作情報４６３に基づいて、ユーザが放送番組を視聴したか否かを視聴データ提供装置４０Ｆが判断するための判断基準を示す図である。図３３の例では、複数の無線通信装置それぞれに応じた判断基準として、照明装置（照明装置１１Ａ）への操作内容についての、放送番組の視聴可否の判断基準となる判断基準４７４Ａ＿１と、Ｗｅｂカメラ（Ｗｅｂカメラ１１Ｆ）への操作内容についての、放送番組の視聴可否の判断基準となる判断基準４７４Ａ＿２とを示している。ステップＳ４４１において、制御部４０７は、機器操作情報４６３に基づいて、それぞれの無線通信機器の識別情報に対応した判断基準を参照することにより、各無線通信装置について、ユーザが放送番組を視聴したか否かを判断する。
【０２１０】
なお、無線通信装置の機器操作情報に応じて、ユーザが放送番組を視聴しているか否かを判断する方法は、様々なものがあり、これらに限られない。例えば、無線通信装置が、ユーザからの入力操作を受け付けた場合に、ユーザが放送番組を視聴していると判断し、無線通信装置がユーザからの入力操作を検出しない場合に、ユーザが放送番組を視聴していないと判断することとしてもよい。
【０２１１】
また、無線通信装置の機器操作情報に応じて、無線通信装置がユーザからの入力操作を受け付けていない場合に、ユーザが放送番組を視聴していると判断し、無線通信装置がユーザからの入力操作を検出する場合に、ユーザが放送番組を視聴していないと判断することとしてもよい。
【０２１２】
また、制御部４０７は、複数の無線通信装置それぞれの機器操作情報に基づいて、複数の無線通信装置それぞれについて、ユーザが放送番組を視聴しているか否かを判断し、これら各無線通信装置についての視聴可否の判断結果を、各無線通信装置について重みづけすることとしてもよい。制御部４０７は、この重みづけ後の無線通信装置についての視聴可否の判断結果に基づいて、ユーザが放送番組を視聴したか否かを判断することとしてもよい。この重みづけによる、ユーザが放送番組を視聴したか否かを判断する処理を詳細に説明する。
【０２１３】
図３４は、視聴データ提供装置４０Ｆの制御部４０７が、無線通信装置それぞれの機器操作情報に基づいて、ユーザによる放送番組の視聴可否を判断し、その判断結果に重みづけをして、放送番組を視聴したか否かを判断する処理を示すフローチャートである。
【０２１４】
ステップＳ４４２において、制御部４０７は、複数の無線通信装置のそれぞれに割り当てられた重みづけ係数と、各無線通信装置についての視聴可否の判断結果とを用いて演算し、演算結果が閾値を上回るか否かを判断する。ステップＳ４４２において、演算結果が閾値を上回る場合（ステップＳ４４２においてＹＥＳ）、制御部４０７は、ステップＳ４４５の処理を行い、そうでない場合（ステップＳ４４２においてＮＯ）、ステップＳ４４７の処理を行う。
【０２１５】
ここで、ステップＳ４４２の処理について、より詳細に説明する。
図３５は、複数の無線通信装置のそれぞれに割り当てられた重みづけ係数と、各無線通信装置についての視聴可否の判断結果とを用いた演算の演算結果を示す図である。図３５に示すように、例えば、ユーザによる放送番組の視聴可否の判断結果において、判断結果「視聴している」を、点数「１」とし、判断結果「視聴していない」を、点数「マイナス１（−１）」とする。また、例えば、視聴可否の判断に影響が比較的大きい無線通信装置については、重みづけ係数を大きくし、視聴可否の判断への影響が比較的小さい無線通信装置については、重みづけ係数を小さくする。図３５の例では、機器識別情報「機器Ｃ」と、機器識別情報「機器Ｅ」とが、最も大きい重みづけ係数「４」と設定されている。
【０２１６】
図３５に示すように、制御部４０７は、各無線通信装置についての視聴可否の判断結果と、重みづけ係数とを用いて演算する。図３５の例では、各無線通信装置についての視聴可否の判断結果に応じた点数（点数「１」または点数「−１」）と、重みづけ係数とを乗算し、各無線通信装置についての乗算結果を合計した合計値を、閾値と比較する。なお、図３５の例では、ステップＳ４４２において、制御部４０７は、例えば閾値を閾値「０」として、合計値が閾値を超えた場合に、ユーザが放送番組を視聴していると判断し、合計値が閾値を超えない場合に、ユーザが放送番組を視聴していないと判断する。
【０２１７】
このように、実施の形態６では、視聴データ提供装置４０Ｆが、複数の無線通信装置と接続し、これら複数の無線通信装置へのユーザの操作内容に基づいて、ユーザが放送番組を視聴しているか否かを判断する。そのため、１つの無線通信装置への操作内容に応じてユーザが放送番組を視聴したか否かを判断する場合と比較すると、実施の形態６では、複数の無線通信装置へのユーザの操作内容に基づいて、ユーザが放送番組を視聴しているか否かを判断する。そのため、例えばユーザが滞在する室内に設置される家電、（通信機能を有する）家具、その他の機器への操作内容に基づいて、ユーザが放送番組を視聴しているか否かを判断することで、ユーザのライフスタイルに応じて、放送番組の視聴可否の判断の精度を高めることができる。
【０２１８】
＜Ｇ．実施の形態７＞
図３６から図３８を参照して、実施の形態７の視聴データ収集システムについて説明する。実施の形態７において、視聴データ収集システムは、ユーザがどのチャネルの放送番組を視聴データ提供装置４０Ｆに表示させているか、また、放送番組をユーザが視聴したか否かの判断結果に基づいてユーザの視聴傾向を推定し、これにより、おすすめの番組を示すリコメンド情報をユーザに通知する。
【０２１９】
実施の形態７の視聴データ収集システムは、図２９に示す実施の形態６のサーバ２０Ｃが、実施の形態７では、リコメンド情報を視聴データ提供装置４０Ｆへ配信するためのサーバ２０Ｇに置き換わったものである。
【０２２０】
＜Ｇ１．構成＞
図３６は、実施の形態７のサーバ２０Ｇの構成を示す図である。図３６に示すように、サーバ２０Ｇは、視聴データ提供装置４０Ｆから視聴データを受信し、視聴データ提供装置４０Ｆに対し、番組リコメンド情報２６７を送信する。サーバ２０Ｇの制御部２０７は、プログラムに従って動作することにより、ストリームデータ送信部２７１と、アプリケーション送信部２７２と、データ解析配信部２７５と、視聴データ受信部２７６と、リコメンド情報生成部２７７と、リコメンド情報配信部２７８としての機能を発揮する。
【０２２１】
リコメンド情報生成部２７７は、視聴データ２６３Ｚに基づき、各視聴データ提供装置における番組の視聴傾向（視聴データ提供装置４０Ｆで表示されているチャネルの情報、および、機器操作情報に基づくユーザの視聴可否の判断結果）を解析する。リコメンド情報生成部２７７は、各視聴データ提供装置の視聴傾向の解析結果を比較して、視聴傾向の相関が一定値を超えるユーザ同士を、視聴傾向が近いユーザとして抽出する。リコメンド情報生成部２７７は、第１のユーザと視聴傾向が近い第２のユーザの視聴データに基づいて、第１のユーザにおすすめする番組の情報を生成して記憶部２０６に番組リコメンド情報２６７として記憶させる。
【０２２２】
リコメンド情報配信部２７８は、各視聴データ提供装置について生成される番組リコメンド情報２６７を、視聴データ提供装置それぞれに対し通信網９０を介して送信する。
【０２２３】
サーバ２０Ｇの記憶部２０６は、ある局面において、視聴データ２６３Ｚと、番組表情報２６４と、視聴割合データ２６５と、番組視聴状況データ２６６と、番組リコメンド情報２６７とを記憶する。
【０２２４】
＜Ｇ２．動作＞
図３７を参照して、実施の形態７のサーバ２０Ｇが、ユーザに対し、おすすめの番組の情報を通知する処理について説明する。
【０２２５】
図３７は、サーバ２０Ｇが番組リコメンド情報２６７を生成して視聴データ提供装置へ配信する処理を示すフローチャートである。
【０２２６】
ステップＳ２５１において、制御部２０７は、視聴データ２６３Ｚに示される視聴チャネルの情報と、ユーザによる視聴可否の判断結果とに基づいて、複数の視聴データ提供装置のそれぞれについて、番組の視聴傾向を解析する。制御部２０７は、例えば、番組の視聴傾向として、番組のジャンル、ユーザによる視聴時間帯などを解析する。
【０２２７】
ステップＳ２５３において、制御部２０７は、視聴データ提供装置それぞれについて、番組リコメンド情報２６７を生成する。ステップＳ２５５において、制御部２０７は、各視聴データ提供装置に、番組リコメンド情報２６７を送信する。
【０２２８】
＜Ｇ３．表示例＞
図３８を参照して、番組リコメンド情報２６７を視聴データ提供装置４０Ｆで表示する一例を示す。
【０２２９】
図３８は、サーバ２０Ｇが視聴データ提供装置４０Ｆへ送信する番組リコメンド情報２６７に示されるおすすめの番組を、視聴データ提供装置４０Ｆのディスプレイ４０４に表示する一例を示す図である。図３８に示すように、視聴データ提供装置４０Ｆのディスプレイ４０４に、ユーザの視聴傾向に基づいて、視聴傾向が一定程度、重複している他のユーザも視聴している番組「ＺＺＺ」等の視聴をユーザに促すための表示がなされている。また、制御部４０７は、これらおすすめの番組の視聴開始をユーザに促すため、ボタン「視聴開始」、ボタン「いますぐ視聴する」などをディスプレイ４０４に表示する。
【０２３０】
実施の形態７の視聴データ提供装置によると、サーバ２０Ｇが、複数の視聴データ提供装置の視聴データに基づき、視聴傾向が近いユーザに対して、番組リコメンド情報２６７を送信する。これにより、視聴データ収集システムは、放送番組などのコンテンツがユーザによって利用される機会を拡大することができ、放送局９３や番組製作会社９５にとっては、コンテンツが視聴される可能性を高めることができる。また、ユーザにとっては、興味あるコンテンツを視聴する機会が拡大する。
【０２３１】
＜Ｈ．実施の形態８＞
図３９から図４３を参照して、実施の形態８の視聴データ収集システム８について説明する。実施の形態８において、視聴データ収集システム８は、ユーザが、放送番組についての話題をもとに他のユーザとコミュニケーションを行うためのプラットフォームとして機能する。これにより、放送局９３や番組製作会社９５にとっては、コンテンツが視聴される可能性が高まる。また、ユーザにとっては、放送番組の話題をもとに他のユーザとのコミュニケーションの機会を増やして、知人や家族などの他のユーザとの人間的なつながりを強めることができる。視聴データ収集システム８は、サーバ２０Ｈにより、放送番組についてのコメントを書き込むためのプラットフォームとして機能する。これにより、放送番組についての視聴者のクチコミ情報が集積し、ユーザ同士のコミュニケーションを促すとともに、放送局９３等に対し、視聴者の感想等を提供することができる。
【０２３２】
視聴データ収集システム８は、複数のユーザが互いにコミュニケーションを行うためのプラットフォームとして機能し、ユーザが指定している他のユーザの放送番組の視聴傾向に基づいて、ユーザの無線通信装置１０Ｈに対し、放送番組の視聴を促すための番組リコメンド情報２６７をサーバ２０Ｈから送信する。
【０２３３】
＜Ｈ１．構成＞
図３９は、実施の形態８の視聴データ収集システム８の構成を示す図である。図３９に示すように、視聴データ収集システム８において、複数組の無線通信装置１０Ｈおよび視聴データ提供装置４０Ｆが通信網９０を介してサーバ２０Ｈと接続されている。これら無線通信装置１０Ｈおよび視聴データ提供装置４０Ｆの組のそれぞれは、複数のユーザのそれぞれと対応する。すなわち、複数のユーザが、無線通信装置１０Ｈおよび視聴データ提供装置４０Ｆを用いて視聴データ収集システム８を利用している。
【０２３４】
複数の無線通信装置のそれぞれは、サーバ２０Ｈと通信網９０を介して接続しており、互いにメッセージデータを送受信する機能を有する。すなわち、ユーザは、各ユーザが無線通信装置１０Ｈを操作することにより、ユーザ間でメッセージデータを送受信することができる。例えば、ユーザ間で、日常的な会話や、放送番組に関するメッセージデータを送受信することができる。
【０２３５】
図４０は、実施の形態８の無線通信装置１０Ｈの構成を示す図である。無線通信装置１０Ｈは、予めサーバ２０Ｈにユーザの情報を登録することにより、他のユーザとメッセージデータを送受信する。記憶部１０６は、ある局面において、機器識別情報１６１と、機器操作情報１６３と、連携操作アプリケーション１６５と、ユーザ識別情報１６７と、登録ユーザ情報１６８とを記憶する。ユーザ識別情報１６７は、無線通信装置１０Ｈを操作するユーザを識別するための情報である。登録ユーザ情報１６８は、無線通信装置１０Ｈのユーザが登録する他のユーザの情報である。無線通信装置１０Ｈは、例えば、無線通信装置１０Ｈのユーザがメッセージデータを送受信する対象とする他のユーザの識別情報を指定する操作を受け付けて、記憶部１０６に登録ユーザ情報１６８として記憶させる。
【０２３６】
制御部１０７は、プログラムに従って動作することにより、操作情報送信部１７２と、機器発見処理部１７６と、連携操作処理部１７７と、メッセージ送受信部１７８としての機能を発揮する。メッセージ送受信部１７８は、サーバ２０Ｈと接続することにより、無線通信装置１０Ｈのユーザによる他のユーザとのメッセージデータの送受信を行う。
【０２３７】
図４１は、実施の形態８のサーバ２０Ｈの構成を示す図である。図４１に示すように、サーバ２０Ｈは、無線通信装置間でのメッセージデータの送受信を行う。
【０２３８】
データ保持部２０８は、通信コンテンツ２８１と、連動アプリケーション２８２と、ユーザ管理情報２８３と、メッセージデータ２８４とを記憶する。ユーザ管理情報２８３は、ユーザを管理するための情報であり、ユーザの識別情報と、ユーザが使用する無線通信装置１０Ｈの識別情報と、ユーザが使用する視聴データ提供装置４０Ｆの識別情報と、ユーザが予め指定する他のユーザの識別情報とを対応付けた情報である。メッセージデータ２８４は、サーバ２０Ｈを介してユーザが送受信する、テキスト等により構成されるデータである。
【０２３９】
制御部２０７は、プログラムに従って動作することにより、ストリームデータ送信部２７１と、アプリケーション送信部２７２と、データ解析配信部２７５と、視聴データ受信部２７６と、リコメンド情報生成部２７７と、リコメンド情報配信部２７８と、メッセージング処理部２７９としての機能を発揮する。メッセージング処理部２７９は、無線通信装置から、ユーザを指定したメッセージデータの送信要求を受け付けて、他のユーザの無線通信装置へメッセージを送信する。メッセージング処理部２７９は、無線通信装置間で送受信されるメッセージデータをメッセージデータ２８４としてデータ保持部２０８に蓄積する。これにより、例えば、ユーザは、ユーザ識別情報をサーバ２０Ｈへ送信することにより、ユーザが所有する端末のいずれを用いても、サーバ２０Ｈから、過去にユーザが送受信したメッセージデータを取得することができる。
【０２４０】
＜Ｈ２．動作＞
図４２を参照して、実施の形態８のサーバ２０Ｈが、ユーザに対し、ユーザが指定する他のユーザの視聴傾向に基づき、おすすめの番組の情報を通知する処理について説明する。
【０２４１】
図４２は、サーバ２０Ｈは番組リコメンド情報２６７を生成して視聴データ提供装置へ配信する処理を示すフローチャートである。
【０２４２】
ステップＳ２５２において、制御部２０７は、ユーザ管理情報２８３を参照し、番組リコメンド情報２６７を送信する対象となるユーザが指定している他のユーザの情報を取得する。制御部２０７は、この他のユーザの視聴データに基づく視聴傾向の解析結果に基づいて、一定割合を超える視聴傾向にある番組の視聴を提案する番組リコメンド情報２６７を生成する。
【０２４３】
ステップＳ２５６において、制御部２０７は、ユーザの視聴データ提供装置４０Ｆおよび／または無線通信装置１０Ｈに対し、番組リコメンド情報２６７を送信する。
【０２４４】
＜Ｈ３．表示例＞
図４３を参照して、番組リコメンド情報２６７を視聴データ提供装置４０Ｆで表示する一例を示す。
【０２４５】
図４３は、サーバ２０Ｈが視聴データ提供装置４０Ｆへ送信する番組リコメンド情報２６７に示されるおすすめの番組を、視聴データ提供装置４０Ｆのディスプレイ４０４に表示する一例を示す図である。図４３の例において、視聴データ提供装置４０Ｆのユーザは、予め他のユーザの識別情報（例えば、ユーザ識別情報「ＡＢ」、ユーザ識別情報「ＢＣ」など）をサーバ２０Ｈに登録している。図４３に示すように、視聴データ提供装置４０Ｆのユーザは、サーバ２０Ｈを介してユーザ「ＡＢ」等の視聴データ提供装置または無線通信装置とメッセージを送受信する。視聴データ提供装置４０Ｆは、ディスプレイ４０４において、サーバ２０Ｈから受信した番組リコメンド情報２６７に基づいて、ユーザが予め登録している他のユーザが視聴している割合が一定割合を超えるコンテンツである番組「ＺＺＺ」を視聴することを促す表示をしている。
【０２４６】
このようにして、実施の形態８の視聴データ収集システム８は、ユーザによる放送番組の視聴傾向に基づいて、予め登録しておいたユーザ同士で話題となる番組の情報を共有することを容易にしている。また、サーバ２０Ｈは、ユーザ同士が送受信するメッセージデータをメッセージデータ２８４として蓄積しているため、放送番組についてのユーザ同士のテキストによるコミュニケーションの履歴を蓄積していることとなる。したがって、これらメッセージデータ２８４に示される、放送番組に対するユーザの感想等を解析することにより、放送局９３や番組製作会社９５等にとっては、コンテンツ制作および配信に対するユーザの行動を検知することができる。
【０２４７】
＜まとめ＞
上記のように、実施の形態１から実施の形態８の視聴データ収集システムについて説明した。これらの各実施の形態を組み合わせることとしてもよい。各実施の形態で説明したように、本実施の形態に係る無線通信装置、視聴データ提供装置、操作情報提供装置、およびサーバは、プロセッサと、その上で実行されるプログラムにより実現される。本実施の形態を実現するプログラムは、通信インターフェースを介してネットワークを利用した送受信等により提供される。各実施の形態で説明した視聴データ収集システムは、以下の構成を有する。
【０２４８】
（１）無線通信装置１０およびサーバ２０を含み、無線通信装置１０とサーバ２０とが通信網９０を介して接続される視聴データ収集システム１が提供される。無線通信装置１０は、放送波を受信するように構成された放送波受信部１０２Ａと、受信する放送波に示される放送番組を表示するように構成されたディスプレイ１０４と、通信網９０を介してサーバ２０と通信するように構成された無線通信部１０２Ｂと、無線通信装置１０に対するユーザの操作内容を示す機器操作情報１６３を生成し、生成された機器操作情報１６３をサーバ２０へ送信するように構成された操作情報送信部１７２とを備える。サーバ２０は、記憶部２０６と、無線通信装置１０から通信網９０を介して機器操作情報１６３を受信するように構成された通信部２０２と、サーバ２０の動作を制御するように構成された制御部２０７とを備える。制御部２０７は、機器操作情報２６１に示される、放送波の受信時におけるユーザの操作内容に基づいて、ユーザが放送波に示される放送番組を視聴したか否かを判断する視聴判断処理部２７４を含み、視聴判断処理部２７４による判断結果を示す視聴データ２６３を記憶部２０６により記憶するように構成されている。
【０２４９】
これにより、放送番組などのコンテンツが無線通信装置１０によって表示されていることに加えて、ユーザによる無線通信装置１０への操作内容に応じてユーザがコンテンツを視聴したか否かの判断結果を視聴データ２６３として生成することができ、コンテンツがどの程度、視聴者によって視聴されているか、その視聴状況を測定することができる。
【０２５０】
（２）上記の（１）において、無線通信装置１０の放送波受信部１０２Ａは、受信している放送波のチャネル情報を取得するように構成されている。操作情報送信部１７２は、放送波のチャネル情報と、機器操作情報１６３とをサーバ２０へ送信するよう構成されている。サーバ２０の通信部２０２は、機器操作情報１６３と、チャネル情報とを受信するように構成されている。制御部２０７は、機器操作情報２６１に基づく視聴判断処理部２７４の判断結果と、機器操作情報２６１に示される操作がなされた時のチャネル情報とを対応付けて視聴データ２６３として記憶部２０６に記憶させるよう構成されている。
【０２５１】
これにより、チャネル情報に基づいて、どの放送番組が視聴者によってどの程度視聴されているか、その視聴状況を測定することができる。
【０２５２】
（３）上記の（１）において、サーバ２０は、複数の無線通信装置１０と通信網９０を介して接続する。サーバ２０の通信部２０２は、複数の無線通信装置１０からそれぞれ機器操作情報１６３を受信する。視聴判断処理部２７４は、複数の各無線通信装置１０から受信する機器操作情報１６３に基づいて、各無線通信装置１０のユーザが放送波に示される放送番組を視聴したか否かを無線通信装置１０それぞれについて判断する。制御部２０７は、各無線通信装置１０についての判断結果を示す視聴データ２６３を記憶部２０６に記憶させるように構成されている。制御部２０７は、さらに、視聴データ２６３に基づいて、複数の無線通信装置１０のユーザのうち放送波に示される放送番組を視聴している割合を算出し、算出結果を視聴割合データ２６５として記憶部２０６に記憶させるデータ解析配信部２７５を含む。
【０２５３】
これにより、複数のユーザのうち、どの程度の割合のユーザが、放送番組などのコンテンツを視聴しているかを測定することができ、例えば放送局や番組製作会社など、コンテンツにかかわる事業者にとって、コンテンツ制作に有益なデータを提供することができる。
【０２５４】
（４）上記の（２）において、サーバ２０の通信部２０２は、複数の無線通信装置１０からそれぞれ機器操作情報１６３とチャネル情報とを受信する。視聴判断処理部２７４は、複数の各無線通信装置１０から受信する機器操作情報１６３に基づいて、各無線通信装置１０のユーザがチャネル情報に示される放送波の放送番組を視聴したか否かを無線通信装置１０それぞれについて判断する。制御部２０７は、各無線通信装置１０についての判断結果と、各無線通信装置１０で受信したチャネル情報とを対応付けて視聴データ２６３として記憶部２０６に記憶させるように構成されている。制御部２０７は、さらに、視聴データ２６３に基づいて、放送波の各チャネルの視聴割合の分布と、放送波の各チャネルそれぞれについて、複数の無線通信装置１０のユーザのうちチャネルを視聴している割合とを算出し、算出結果を視聴割合データ２６５として記憶部２０６に記憶させるデータ解析配信部２７５を含む。
【０２５５】
これにより、放送波の各チャネルが視聴されている割合と、各チャネルについてユーザが視聴している割合とを算出することができ、放送局にとっては、自局が放送する番組コンテンツが、他の放送局との関係で、どの程度視聴されているかを推定することができる。すなわち、放送番組がユーザによってどの程度、視聴されているかを、例えば他の放送局との比較によって測定することができる。
【０２５６】
（５）上記の（１）に示す視聴データ収集システムにおけるサーバ２０であって、記憶部２０６と、無線通信装置１０に対するユーザの操作内容を示す機器操作情報１６３を、無線通信装置１０から通信網９０を介して受信するように構成された通信部２０２と、サーバ２０の動作を制御するように構成された制御部２０７とを備える。制御部２０７は、機器操作情報２６１に示される、放送波の受信時におけるユーザの操作内容に基づいて、ユーザが放送波に示される放送番組を視聴したか否かを判断する視聴判断処理部２７４を含み、視聴判断処理部２７４による判断結果を示す視聴データ２６３を記憶部２０６により記憶するように構成されている。
【０２５７】
これにより、ユーザによる無線通信装置１０への操作内容に応じてユーザがコンテンツを視聴したか否かの判断結果を視聴データ２６３として生成することができ、コンテンツがどの程度、視聴者によって視聴されているか、その視聴状況を測定することができる。
【０２５８】
（６）上記の（１）に示す視聴データ収集システムにおける無線通信装置１０であって、サーバ２０は、無線通信装置１０に対するユーザの操作内容を示す機器操作情報１６３を、無線通信装置１０から通信網９０を介して受信するように構成された通信部２０２と、サーバ２０の動作を制御するように構成された制御部２０７とを備える。制御部２０７は、機器操作情報２６１に示される、放送波の受信時におけるユーザの操作内容に基づいて、ユーザが放送波を視聴したか否かを判断する視聴判断処理部２７４を含み、視聴判断処理部２７４による判断結果を示す視聴データ２６３を記憶部２０６により記憶するように構成されている。無線通信装置１０は、放送波を受信するように構成された放送波受信部１０２Ａと、受信する放送波に示される放送番組を表示するように構成されたディスプレイ１０４と、通信網９０を介してサーバ２０と通信するように構成された無線通信部１０２Ｂと、無線通信装置１０に対するユーザの操作内容を示す機器操作情報１６３を生成し、生成された機器操作情報１６３をサーバ２０へ送信するように構成された操作情報送信部１７２とを備える。
【０２５９】
これにより、ユーザによる無線通信装置１０への操作内容に応じてユーザがコンテンツを視聴したか否かの判断結果を視聴データ２６３として生成することができ、コンテンツがどの程度、視聴者によって視聴されているか、その視聴状況を測定することができる。また、ユーザの操作内容に基づくユーザの視聴可否の判断をサーバ２０で行っているため、無線通信装置１０は、機器操作情報１６３を生成してサーバ２０へ送信する機能を有していればよい。
【０２６０】
（７）別の実施の形態に従うと、無線通信装置１０Ｂおよびサーバ２０Ｂを含み、無線通信装置１０Ｂとサーバ２０Ｂとが通信網９０を介して接続される視聴データ収集システムが提供される。無線通信装置１０Ｂは、放送波を受信するように構成された放送波受信部１０２Ａと、受信する放送波に示される放送番組を表示するように構成されたディスプレイ１０４と、通信網９０を介してサーバ２０Ｂと通信するように構成された無線通信部１０２Ｂと、無線通信装置１０Ｂの動作を制御するように構成された制御部１０７とを備える。制御部１０７は、放送波の受信時における無線通信装置１０Ｂに対するユーザの操作内容を示す機器操作情報１６３を生成し、生成された機器操作情報１６３に基づいて、ユーザが放送波に示される放送番組を視聴したか否かを判断する視聴判断処理部１７４と、視聴判断処理部１７４による判断結果を示す視聴データ１６４をサーバ２０Ｂへ送信する視聴データ送信部１７５とを含む。サーバ２０Ｂは、記憶部２０６と、無線通信装置１０Ｂから通信網９０を介して視聴データ１６４を受信するように構成された通信部２０２と、受信した視聴データ１６４を記憶部２０６により記憶するように構成された制御部２０７とを備える。
【０２６１】
これにより、コンテンツがどの程度、視聴者によって視聴されているか、その視聴状況を測定することができる。また、無線通信装置１０Ｂにおいて視聴データ１６４を生成するため、無線通信装置１０Ｂにおいて、ユーザによる視聴状況の変化に応じた画面の表示処理、例えば、放送番組に関連するコンテンツの利用を促す処理など、放送局やユーザにとって利点のある処理を行うことができる。
【０２６２】
（８）上記（７）に示す視聴データ収集システムにおける無線通信装置１０Ｂであって、放送波を受信するように構成された放送波受信部１０２Ａと、受信する放送波に示される放送番組を表示するように構成されたディスプレイ１０４と、通信網９０を介してサーバ２０Ｂと通信するように構成された無線通信部１０２Ｂと、無線通信装置１０Ｂの動作を制御するように構成された制御部１０７とを備える。制御部１０７は、放送波の受信時における無線通信装置１０Ｂに対するユーザの操作内容を示す機器操作情報１６３を生成し、生成された機器操作情報１６３に基づいて、ユーザが放送波に示される放送番組を視聴したか否かを判断する視聴判断処理部１７４と、視聴判断処理部１７４による判断結果を示す視聴データ１６４をサーバ２０Ｂへ送信する視聴データ送信部１７５とを含む。
【０２６３】
これにより、コンテンツがどの程度、視聴者によって視聴されているか、その視聴状況を測定することができる。また、無線通信装置１０Ｂにおいて視聴データ１６４を生成するため、無線通信装置１０Ｂにおいて、ユーザによる視聴状況の変化に応じた画面の表示処理、例えば、放送番組に関連するコンテンツの利用を促す処理など、放送局やユーザにとって利点のある処理を行うことができる。
【０２６４】
（９）上記（７）に示す視聴データ収集システムにおけるサーバ２０Ｂであって、無線通信装置１０Ｂは、放送波を受信するように構成された放送波受信部１０２Ａと、受信する放送波に示される放送番組を表示するように構成されたディスプレイ１０４と、通信網９０を介してサーバ２０Ｂと通信するように構成された無線通信部１０２Ｂと、無線通信装置１０Ｂの動作を制御するように構成された制御部１０７とを備える。制御部１０７は、放送波の受信時における無線通信装置１０Ｂに対するユーザの操作内容を示す機器操作情報１６３を生成し、生成された機器操作情報１６３に基づいて、ユーザが放送波に示される放送番組を視聴したか否かを判断する視聴判断処理部１７４と、視聴判断処理部１７４による判断結果を示す視聴データ１６４をサーバ２０Ｂへ送信する視聴データ送信部１７５とを含む。サーバ２０Ｂは、記憶部２０６と、無線通信装置１０Ｂから通信網９０を介して視聴データ１６４を受信するように構成された通信部２０２と、受信した視聴データ１６４を記憶部２０６により記憶するように構成された制御部２０７とを備える。
【０２６５】
これにより、コンテンツがどの程度、視聴者によって視聴されているか、その視聴状況を測定することができる。
【０２６６】
（１０）別の実施の形態に従うと、無線通信装置１０Ｃ、視聴データ提供装置４０、およびサーバ２０Ｃを含み、視聴データ提供装置４０とサーバ２０Ｃとが通信網９０を介して接続される視聴データ収集システム３であって、無線通信装置１０Ｃは、無線通信装置１０Ｃに対するユーザの操作内容を示す機器操作情報１６３を生成し、生成された機器操作情報１６３を視聴データ提供装置４０へ送信するように構成された操作情報送信部１７２を備える。視聴データ提供装置４０は、放送波を受信するように構成された放送波受信部４０２Ａと、受信する放送波に示される放送番組を表示するように構成されたディスプレイ４０４と、通信網９０を介してサーバ２０Ｃと通信するように構成された通信インターフェース４０８と、機器操作情報１６３を無線通信装置１０Ｃから受信するように構成された無線通信部４０２Ｂと、視聴データ提供装置４０の動作を制御するように構成された制御部４０７とを備える。制御部４０７は、放送波の受信時における無線通信装置１０Ｃに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｃへ送信する視聴データ送信部４７５とを含む。サーバ２０Ｃは、記憶部２０６と、視聴データ提供装置４０から通信網９０を介して視聴データ４６４を受信するように構成された通信部２０２と、受信した視聴データ４６４を記憶部２０６により記憶するように構成された制御部２０７とを備える。
【０２６７】
これにより、視聴者であるユーザが無線通信装置１０Ｃに対して行う操作内容に応じて、視聴データ提供装置４０に表示される放送番組などのコンテンツが、視聴者によってどの程度視聴されているか、その視聴状況を測定することができる。
【０２６８】
（１１）上記（１０）の視聴データ収集システム３における視聴データ提供装置４０であって、放送波を受信するように構成された放送波受信部４０２Ａと、受信する放送波に示される放送番組を表示するように構成されたディスプレイ４０４と、通信網９０を介してサーバ２０Ｃと通信するように構成された通信インターフェース４０８と、無線通信装置１０Ｃに対するユーザの操作内容を示す機器操作情報１６３を無線通信装置１０Ｃから受信するように構成された無線通信部４０２Ｂと、視聴データ提供装置４０の動作を制御するように構成された制御部４０７とを備える。制御部４０７は、放送波の受信時における無線通信装置１０Ｃに対するユーザの操作内容を示す機器操作情報１６３を無線通信部４０２Ｂにより受信し、受信した機器操作情報１６３に基づいて、ユーザが放送波を視聴したか否かを判断する視聴判断処理部４７４と、視聴判断処理部４７４による判断結果を示す視聴データ４６４をサーバ２０Ｃへ送信する視聴データ送信部４７５とを含む。
【０２６９】
これにより、コンテンツがどの程度、視聴者によって視聴されているか、その視聴状況を測定することができる視聴データ提供装置を実現することができる。
【０２７０】
（１２）上記（１０）の視聴データ収集システム３における無線通信装置１０Ｃであって、視聴データ提供装置４０は、放送波を受信するように構成された放送波受信部４０２Ａと、受信する放送波に示される放送番組を表示するように構成されたディスプレイ４０４と、通信網９０を介してサーバ２０Ｃと通信するように構成された通信インターフェース４０８と、無線通信装置１０Ｃに対するユーザの操作内容を示す機器操作情報１６３を無線通信装置１０Ｃから受信するように構成された無線通信部４０２Ｂと、視聴データ提供装置４０の動作を制御するように構成された制御部４０７とを備える。制御部４０７は、放送波の受信時における無線通信装置１０Ｃに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｃへ送信する視聴データ送信部４７５とを含む。無線通信装置１０Ｃは、無線通信装置１０Ｃに対するユーザの操作内容を示す機器操作情報１６３を生成し、生成された機器操作情報１６３を視聴データ提供装置４０へ送信するように構成された操作情報送信部１７２を備える。
【０２７１】
これにより、コンテンツがどの程度、視聴者によって視聴されているか、その視聴状況を測定することができる視聴データ提供装置とともに用いられる無線通信装置１０Ｃを実現することができる。
【０２７２】
（１３）上記（１０）の視聴データ収集システム３におけるサーバ２０Ｃであって、無線通信装置１０Ｃは、無線通信装置１０Ｃに対するユーザの操作内容を示す機器操作情報１６３を生成し、生成された機器操作情報１６３を視聴データ提供装置４０へ送信するように構成された操作情報送信部１７２を備える。視聴データ提供装置４０は、放送波を受信するように構成された放送波受信部４０２Ａと、受信する放送波に示される放送番組を表示するように構成されたディスプレイ４０４と、通信網９０を介してサーバ２０Ｃと通信するように構成された通信インターフェース４０８と、機器操作情報１６３を無線通信装置１０Ｃから受信するように構成された無線通信部４０２Ｂと、視聴データ提供装置４０の動作を制御するように構成された制御部４０７とを備える。制御部４０７は、放送波の受信時における無線通信装置１０Ｃに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｃへ送信する視聴データ送信部４７５とを含む。サーバ２０Ｃは、記憶部２０６と、視聴データ提供装置４０から通信網９０を介して視聴データ４６４を受信するように構成された通信部２０２と、受信した視聴データ４６４を記憶部２０６により記憶するように構成された制御部２０７とを備える。
【０２７３】
これにより、コンテンツがどの程度、ユーザによって視聴されているか、その視聴状況を示す視聴データをサーバ２０Ｃにおいて蓄積することができ、例えば放送局や番組製作会社等のリクエストに応じて、コンテンツがどの程度、視聴者によって視聴されているかを応答することができる。
【０２７４】
（１４）無線通信装置１０Ｄ、視聴データ提供装置４０Ｄ、ＴＶ放送表示装置５０、およびサーバ２０Ｄを含み、視聴データ提供装置４０Ｄとサーバ２０Ｄとが通信網９０を介して接続される視聴データ収集システム４であって、無線通信装置１０Ｄは、無線通信装置１０Ｄに対するユーザの操作内容を示す機器操作情報１６３を生成し、生成された機器操作情報１６３を視聴データ提供装置４０Ｄへ送信するように構成された操作情報送信部１７２を備える。ＴＶ放送表示装置５０は、放送波を受信するように構成された放送波受信部と、受信する放送波に示される放送番組を表示するように構成された表示部とを備える。視聴データ提供装置４０Ｄは、通信網９０を介してサーバ２０Ｄと通信するように構成された通信インターフェース４０８と、機器操作情報１６３を無線通信装置１０Ｄから受信するように構成された無線通信部４０２Ｂと、視聴データ提供装置４０Ｄの動作を制御するように構成された制御部４０７とを備える。制御部４０７は、放送波の受信時における無線通信装置１０Ｄに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｄへ送信する視聴データ送信部４７５とを含む。サーバ２０Ｄは、記憶部２０６と、視聴データ提供装置４０Ｄから通信網９０を介して視聴データ４６４を受信するように構成された通信部２０２と、受信した視聴データ４６４を記憶部２０６により記憶するように構成された制御部２０７とを備える。
【０２７５】
これにより、放送受信機能を有する表示装置と、通信網９０に接続可能な視聴データ提供装置４０Ｄとが別々の装置として利用される場合においても、無線通信装置１０Ｄに対するユーザの操作内容に応じて、表示装置において表示されるコンテンツがどの程度、視聴者によって視聴されているか、その視聴状況を測定することができる。例えば、既に放送受信機能を有する表示装置がユーザの部屋等に設置されている場合に、視聴データ提供装置４０Ｄを導入する、または視聴データ提供装置４０Ｄのソフトウェアをアップデートすること等により、視聴データ収集システムを実現することができる。
【０２７６】
（１５）上記（１４）の視聴データ収集システム４における視聴データ提供装置４０Ｄであって、ＴＶ放送表示装置５０は、放送波を受信するように構成された放送波受信部と、受信する放送波に示される放送番組を表示するように構成された表示部とを備える。視聴データ提供装置４０Ｄは、通信網９０を介してサーバ２０Ｄと通信するように構成された通信インターフェース４０８と、機器操作情報１６３を無線通信装置１０Ｄから受信するように構成された無線通信部４０２Ｂと、視聴データ提供装置４０Ｄの動作を制御するように構成された制御部４０７とを備える。制御部４０７は、放送波の受信時における無線通信装置１０Ｄに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｄへ送信する送信部とを含む。
【０２７７】
これにより、放送受信機能を有する表示装置と、通信網９０に接続可能な視聴データ提供装置４０Ｄとが別々の装置として利用される場合においても、無線通信装置１０Ｄに対するユーザの操作内容に応じて、表示装置において表示されるコンテンツがどの程度、視聴者によって視聴されているか、その視聴状況を測定することができる。
【０２７８】
（１６）上記（１４）の視聴データ収集システム４における無線通信装置１０Ｄであって、ＴＶ放送表示装置５０は、放送波を受信するように構成された放送波受信部と、受信する放送波に示される放送番組を表示するように構成された表示部とを備える。視聴データ提供装置４０Ｄは、通信網９０を介してサーバ２０Ｄと通信するように構成された通信インターフェース４０８と、機器操作情報１６３を無線通信装置１０Ｄから受信するように構成された無線通信部４０２Ｂと、視聴データ提供装置４０Ｄの動作を制御するように構成された制御部４０７とを備える。制御部４０７は、放送波の受信時における無線通信装置１０Ｄに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｄへ送信する視聴データ送信部４７５とを含む。サーバ２０Ｄは、記憶部２０６と、視聴データ提供装置４０Ｄから通信網９０を介して視聴データ４６４を受信するように構成された通信部２０２と、受信した視聴データ４６４を記憶部２０６により記憶するように構成された制御部２０７とを備える。無線通信装置１０Ｄは、無線通信装置１０Ｄに対するユーザの操作内容を示す機器操作情報１６３を生成し、生成された機器操作情報１６３を視聴データ提供装置４０Ｄへ送信するように構成された操作情報送信部１７２を備える。
【０２７９】
これにより、放送受信機能を有する表示装置と、通信網９０に接続可能な視聴データ提供装置４０Ｄとが別々の装置として利用される場合においても、無線通信装置１０Ｄに対するユーザの操作内容に応じて、表示装置において表示されるコンテンツがどの程度、視聴者によって視聴されているか、その視聴状況を測定することができる。
【０２８０】
（１７）上記（１４）の視聴データ収集システム４におけるサーバ２０Ｄであって、無線通信装置１０Ｄは、無線通信装置１０Ｄに対するユーザの操作内容を示す機器操作情報１６３を生成し、生成された機器操作情報１６３を視聴データ提供装置４０Ｄへ送信するように構成された操作情報送信部１７２を備える。ＴＶ放送表示装置５０は、放送波を受信するように構成された放送波受信部と、受信する放送波に示される放送番組を表示するように構成された表示部とを備える。視聴データ提供装置４０Ｄは、通信網９０を介してサーバ２０Ｄと通信するように構成された通信インターフェース４０８と、機器操作情報１６３を無線通信装置１０Ｄから受信するように構成された無線通信部４０２Ｂと、視聴データ提供装置４０Ｄの動作を制御するように構成された制御部４０７とを備える。制御部４０７は、放送波の受信時における無線通信装置１０Ｄに対するユーザの操作内容を示す機器操作情報１６３を無線通信部４０２Ｂにより受信し、受信した機器操作情報１６３に基づいて、ユーザが放送波の放送番組を視聴したか否かを判断する視聴判断処理部４７４と、視聴判断処理部４７４による判断結果を示す視聴データ４６４をサーバ２０Ｄへ送信する視聴データ送信部４７５とを含む。サーバ２０Ｄは、記憶部２０６と、視聴データ提供装置４０Ｄから通信網９０を介して視聴データ４６４を受信するように構成された通信部２０２と、受信した視聴データ４６４を記憶部２０６により記憶するように構成された制御部２０７とを備える。
【０２８１】
これにより、放送受信機能を有する表示装置と、通信網９０に接続可能な視聴データ提供装置４０Ｄとが別々の装置として利用される場合においても、無線通信装置１０Ｄに対するユーザの操作内容に応じて、表示装置において表示されるコンテンツがどの程度、視聴者によって視聴されているか、その視聴状況を測定することができる。
【０２８２】
（１８）別の実施の形態に従うと、無線通信装置１０Ｃ、操作情報提供装置４０Ｅ、およびサーバ２０Ｅを含み、操作情報提供装置４０Ｅとサーバ２０Ｅとが通信網９０を介して接続される視聴データ収集システムであって、無線通信装置１０Ｃは、無線通信装置１０Ｃに対するユーザの操作内容を示す機器操作情報１６３を生成し、生成された機器操作情報１６３を操作情報提供装置４０Ｅへ送信するように構成された操作情報送信部１７２を備える。操作情報提供装置４０Ｅは、放送波を受信するように構成された放送波受信部４０２Ａと、受信する放送波に示される放送番組を表示するように構成されたディスプレイ４０４と、放送波の受信時における無線通信装置１０Ｃに対するユーザの操作内容を示す機器操作情報１６３を無線通信装置１０Ｃから受信するように構成された無線通信部４０２Ｂと、受信した機器操作情報１６３をサーバ２０Ｅへ送信するように構成された操作情報送信部４７６とを含む。サーバ２０Ｅは、記憶部２０６と、操作情報提供装置４０Ｅから通信網９０を介して機器操作情報４６３を受信するように構成された通信部２０２と、サーバ２０Ｅの動作を制御する制御部２０７とを備える。制御部２０７は、機器操作情報４６３に示される放送波の受信時におけるユーザの操作内容に基づいて、ユーザが放送波の放送番組を視聴したか否かを判断する視聴判断処理部２７４を含み、視聴判断処理部２７４による判断結果を示す視聴データを記憶部２０６により記憶するように構成されている。
【０２８３】
これにより、視聴者であるユーザが無線通信装置１０Ｃに対して行う操作内容に応じて、操作情報提供装置４０Ｅに表示される放送番組などのコンテンツが、視聴者によってどの程度視聴されているか、その視聴状況を測定することができる。
【０２８４】
（１９）上記（１８）に示す視聴データ収集システムにおけるサーバ２０Ｅであって、無線通信装置１０Ｃは、無線通信装置１０Ｃに対するユーザの操作内容を示す機器操作情報１６３を生成し、生成された機器操作情報１６３を操作情報提供装置４０Ｅへ送信するように構成された操作情報送信部１７２を備える。
【０２８５】
操作情報提供装置４０Ｅは、放送波を受信するように構成された放送波受信部４０２Ａと、受信する放送波に示される放送番組を表示するように構成されたディスプレイ４０４と、放送波の受信時における無線通信装置１０Ｃに対するユーザの操作内容を示す機器操作情報１６３を無線通信装置１０Ｃから受信するように構成された無線通信部４０２Ｂと、受信した機器操作情報１６３をサーバ２０Ｅへ送信するように構成された操作情報送信部４７６とを含む。サーバ２０Ｅは、記憶部２０６と、操作情報提供装置４０Ｅから通信網９０を介して機器操作情報４６３を受信するように構成された通信部２０２と、サーバ２０Ｅの動作を制御する制御部２０７とを備える。制御部２０７は、機器操作情報１６３に示される放送波の受信時におけるユーザの操作内容に基づいて、ユーザが放送波の放送番組を視聴したか否かを判断する視聴判断処理部２７４を含み、視聴判断処理部２７４による判断結果を示す視聴データを記憶部２０６により記憶するように構成されている。
【０２８６】
これにより、コンテンツがどの程度、視聴者によって視聴されているか、その視聴状況を測定することができる操作情報提供装置を提供することができる。
【０２８７】
（２０）上記（１８）に示す視聴データ収集システムにおける無線通信装置１０Ｃであって、操作情報提供装置４０Ｅは、放送波を受信するように構成された放送波受信部４０２Ａと、受信する放送波に示される放送番組を表示するように構成されたディスプレイ４０４と、放送波の受信時における無線通信装置１０Ｃに対するユーザの操作内容を示す機器操作情報１６３を無線通信装置１０Ｃから受信するように構成された無線通信部４０２Ｂと、受信した機器操作情報１６３をサーバ２０Ｅへ送信するように構成された操作情報送信部４７６とを含む。サーバ２０Ｅは、記憶部２０６と、操作情報提供装置４０Ｅから通信網９０を介して機器操作情報４６３を受信するように構成された通信部２０２と、サーバ２０Ｅの動作を制御する制御部２０７とを備える。制御部２０７は、機器操作情報１６３に示される放送波の受信時におけるユーザの操作内容に基づいて、ユーザが放送波を視聴したか否かを判断する視聴判断処理部２７４を含み、視聴判断処理部２７４による判断結果を示す視聴データを記憶部２０６により記憶するように構成されている。無線通信装置１０Ｃは、無線通信装置１０Ｃに対するユーザの操作内容を示す機器操作情報１６３を生成し、生成された機器操作情報１６３を操作情報提供装置４０Ｅへ送信するように構成された操作情報送信部１７２を備える。
【０２８８】
これにより、コンテンツが、視聴者によってどの程度視聴されているか、その視聴状況を測定することができる。
【０２８９】
（２１）上記（１８）に示す視聴データ収集システムにおける操作情報提供装置４０Ｅであって、無線通信装置１０Ｃは、無線通信装置１０Ｃに対するユーザの操作内容を示す機器操作情報１６３を生成し、生成された機器操作情報１６３を操作情報提供装置４０Ｅへ送信するように構成された操作情報送信部１７２を備える。サーバ２０Ｅは、記憶部２０６と、操作情報提供装置４０Ｅから通信網９０を介して機器操作情報４６３を受信するように構成された通信部２０２と、サーバ２０Ｅの動作を制御する制御部２０７とを備える。制御部２０７は、機器操作情報１６３に示される放送波の受信時におけるユーザの操作内容に基づいて、ユーザが放送波の放送番組を視聴したか否かを判断する視聴判断処理部２７４を含む。視聴判断処理部２７４による判断結果を示す視聴データを記憶部２０６により記憶するように構成されている。操作情報提供装置４０Ｅは、放送波を受信するように構成された放送波受信部４０２Ａと、受信する放送波に示される放送番組を表示するように構成されたディスプレイ４０４と、放送波の受信時における無線通信装置１０Ｃに対するユーザの操作内容を示す機器操作情報１６３を無線通信装置１０Ｃから受信するように構成された無線通信部４０２Ｂと、受信した機器操作情報１６３をサーバ２０Ｅへ送信するように構成された操作情報送信部４７６とを含む。
【０２９０】
これにより、コンテンツが、視聴者によってどの程度視聴されているか、その視聴状況を測定することができる。
【０２９１】
（２２）別の実施の形態に従うと、複数の無線通信装置１０Ｃ、視聴データ提供装置４０Ｆ、およびサーバ２０Ｃを含み、視聴データ提供装置４０Ｆとサーバ２０Ｃとが通信網９０を介して接続される視聴データ収集システム６であって、複数の無線通信装置１０Ｃの各々は、各無線通信装置１０Ｃに対するユーザの操作内容を示す機器操作情報１６３を生成し、生成された機器操作情報１６３を視聴データ提供装置４０Ｆへ送信するように構成された操作情報送信部１７２を備える。視聴データ提供装置４０Ｆは、放送波を受信するように構成された放送波受信部４０２Ａと、受信する放送波に示される放送番組を表示するように構成されたディスプレイ４０４と、複数の無線通信装置１０Ｃそれぞれに対するユーザの操作内容を示す機器操作情報１６３を、複数の無線通信装置１０Ｃそれぞれから受信するように構成された無線通信部４０２Ｂと、視聴データ提供装置４０Ｆの動作を制御するように構成された制御部４０７とを備える。制御部４０７は、複数の無線通信装置１０Ｃそれぞれから受信した、放送波の受信時における機器操作情報１６３に基づいて、ユーザが放送波に示される放送番組を視聴したか否かを判断する視聴判断処理部４７４と、視聴判断処理部４７４による判断結果を示す視聴データ４６４をサーバ２０Ｃへ送信する視聴データ送信部４７５とを含む。サーバ２０Ｃは、記憶部２０６と、視聴データ提供装置４０Ｆから通信網９０を介して視聴データ４６４を受信するように構成された通信部２０２と、受信した視聴データ４６４を記憶部２０６により記憶するように構成された制御部２０７とを備える。
【０２９２】
これにより、複数の無線通信装置１０Ｃに対するユーザの操作内容に基づいて、コンテンツが視聴者によってどの程度、視聴されているか、その視聴状況を測定することができ、視聴されているか否かの判断処理の精度を高め得る。
【０２９３】
（２３）上記（２２）において、制御部４０７の視聴判断処理部４７４は、機器操作情報１６３において、ユーザが無線通信装置１０Ｃを操作した場合に、ユーザが放送波の放送番組を視聴したと判断し、無線通信装置１０Ｃを操作していない場合に、ユーザが放送波の放送番組を視聴していないと判断する。
【０２９４】
これにより、ユーザが放送番組などのコンテンツとともに操作することが想定される無線通信装置１０Ｃへの操作内容に基づいて、コンテンツが視聴者によってどの程度、視聴されているかを測定することができる。
【０２９５】
（２４）上記（２２）において、制御部４０７の視聴判断処理部４７４は、機器操作情報１６３において、ユーザが無線通信装置１０Ｃを操作していない場合に、ユーザが放送波の放送番組を視聴したと判断し、無線通信装置１０Ｃを操作した場合に、ユーザが放送波の放送番組を視聴していないと判断する。
【０２９６】
これにより、ユーザが放送番組などのコンテンツとともに操作することが想定されていない無線通信装置１０Ｃへの操作内容に基づいて、コンテンツが視聴者によってどの程度、視聴されているかを測定することができる。
【０２９７】
（２５）上記（２２）において、制御部４０７の視聴判断処理部４７４は、複数の無線通信装置１０Ｃそれぞれの機器操作情報１６３に基づいて、放送波の放送番組の視聴可否の判断を複数の無線通信装置１０Ｃそれぞれについて行い、各無線通信装置１０Ｃの機器操作情報１６３に対応する視聴可の判断結果の数および視聴不可の判断結果の数との比較により、ユーザが放送波の放送番組を視聴したか否かを判断する。
【０２９８】
これにより、複数の無線通信装置へのユーザの操作内容に基づいて、コンテンツが視聴者によってどの程度、視聴されているかを測定することができる。
【０２９９】
（２６）上記（２２）において、制御部４０７の視聴判断処理部４７４は、複数の無線通信装置１０Ｃそれぞれの機器操作情報１６３に基づいて、放送波の視聴可否の判断を複数の無線通信装置１０Ｃそれぞれについて行い、各無線通信装置１０Ｃの機器操作情報１６３に対応する視聴可否の判断結果を、各無線通信装置１０Ｃについて重みづけをし、重みづけ後の各無線通信装置１０Ｃについての視聴可否の判断結果に基づいて、ユーザが放送波の放送番組を視聴したか否かを判断する。
【０３００】
これにより、よりコンテンツの視聴可否との相関が大きい無線通信装置についての判断結果を重視して、コンテンツが視聴者によって視聴されているか否かを判断することができる。
【０３０１】
（２７）上記（２２）に示す視聴データ収集システム６における視聴データ提供装置４０Ｆであって、複数の無線通信装置１０Ｃの各々は、各無線通信装置１０Ｃに対するユーザの操作内容を示す機器操作情報１６３を生成し、生成された機器操作情報１６３を視聴データ提供装置４０Ｆへ送信するように構成された操作情報送信部１７２を備える。視聴データ提供装置４０Ｆは、放送波を受信するように構成された放送波受信部４０２Ａと、受信する放送波に示される放送番組を表示するように構成されたディスプレイ４０４と、複数の無線通信装置１０Ｃそれぞれに対するユーザの操作内容を示す機器操作情報１６３を、複数の無線通信装置１０Ｃそれぞれから受信するように構成された無線通信部４０２Ｂと、視聴データ提供装置４０Ｆの動作を制御するように構成された制御部４０７とを備える。制御部４０７は、複数の無線通信装置１０Ｃそれぞれから受信した、放送波の受信時における機器操作情報１６３に基づいて、ユーザが放送波に示される放送番組を視聴したか否かを判断する視聴判断処理部４７４と、視聴判断処理部４７４による判断結果を示す視聴データ４６４をサーバ２０Ｃへ送信する視聴データ送信部４７５とを含む。
【０３０２】
これにより、複数の無線通信装置１０Ｃに対するユーザの操作内容に基づいて、コンテンツが視聴者によってどの程度、視聴されているか、その視聴状況を測定することができ、視聴されているか否かの判断処理の精度を高め得る。
【０３０３】
（２８）上記（２２）に示す視聴データ収集システム６における複数の無線通信装置１０Ｃであって、視聴データ提供装置４０Ｆは、放送波を受信するように構成された放送波受信部４０２Ａと、受信する放送波に示される放送番組を表示するように構成されたディスプレイ４０４と、複数の無線通信装置１０Ｃそれぞれに対するユーザの操作内容を示す機器操作情報１６３を、複数の無線通信装置１０Ｃそれぞれから受信するように構成された無線通信部４０２Ｂと、視聴データ提供装置４０Ｆの動作を制御するように構成された制御部４０７とを備える。制御部４０７は、複数の無線通信装置１０Ｃそれぞれから受信した、放送波の受信時における機器操作情報１６３に基づいて、ユーザが放送波に示される放送番組を視聴したか否かを判断する視聴判断処理部４７４と、視聴判断処理部４７４による判断結果を示す視聴データ４６４をサーバ２０Ｃへ送信する視聴データ送信部４７５とを含む。複数の無線通信装置１０Ｃの各々は、各無線通信装置１０Ｃに対するユーザの操作内容を示す機器操作情報１６３を生成し、生成された機器操作情報１６３を視聴データ提供装置４０Ｆへ送信するように構成された操作情報送信部１７２を備える。
【０３０４】
これにより、複数の無線通信装置１０Ｃに対するユーザの操作内容に基づいて、コンテンツが視聴者によってどの程度、視聴されているか、その視聴状況を測定することができ、視聴されているか否かの判断処理の精度を高め得る。
【０３０５】
（２９）上記（２２）に示す視聴データ収集システム６におけるサーバ２０Ｃであって、複数の無線通信装置１０Ｃの各々は、各無線通信装置１０Ｃに対するユーザの操作内容を示す機器操作情報１６３を生成し、生成された機器操作情報１６３を視聴データ提供装置４０Ｆへ送信するように構成された操作情報送信部１７２を備える。視聴データ提供装置４０Ｆは、放送波を受信するように構成された放送波受信部４０２Ａと、受信する放送波に示される放送番組を表示するように構成されたディスプレイ４０４と、複数の無線通信装置１０Ｃそれぞれに対するユーザの操作内容を示す機器操作情報１６３を、複数の無線通信装置１０Ｃそれぞれから受信するように構成された無線通信部４０２Ｂと、視聴データ提供装置４０Ｆの動作を制御するように構成された制御部４０７とを備える。制御部４０７は、複数の無線通信装置１０Ｃそれぞれから受信した、放送波の受信時における機器操作情報１６３に基づいて、ユーザが放送波に示される放送番組を視聴したか否かを判断する視聴判断処理部４７４と、視聴判断処理部４７４による判断結果を示す視聴データ４６４をサーバ２０Ｃへ送信する視聴データ送信部４７５とを含む。サーバ２０Ｃは、記憶部２０６と、視聴データ提供装置４０Ｆから通信網９０を介して視聴データ４６４を受信するように構成された通信部２０２と、受信した視聴データ４６４を記憶部２０６により記憶するように構成された制御部２０７とを備える。
【０３０６】
複数の無線通信装置１０Ｃに対するユーザの操作内容に基づいて、コンテンツが視聴者によってどの程度、視聴されているか、その視聴状況を測定することができ、視聴されているか否かの判断処理の精度を高め得る。
【０３０７】
（３０）別の実施の形態に従うと、上記（２２）において、視聴データ提供装置４０Ｆの視聴データ送信部４７５は、視聴データ４６４と、視聴データ提供装置４０Ｆの装置識別情報４６１とをサーバ２０Ｇへ送信するよう構成されている。サーバ２０Ｇの通信部２０２は、複数の視聴データ提供装置４０Ｆから、視聴データ４６４と、視聴データ提供装置４０Ｆの装置識別情報４６１とを受信するように構成されている。制御部２０７は、視聴データ提供装置４０Ｆの装置識別情報４６１と、視聴データ４６４とを対応付けて記憶部２０６に記憶させる。さらに、視聴データ２６３Ｚに基づいて、各視聴データ提供装置４０Ｆにおける番組の視聴傾向を解析し、解析された視聴傾向に基づいて、各視聴データ提供装置４０Ｆに対し、視聴すべき番組の情報を通知するリコメンド情報配信部２７８を含む。
【０３０８】
これにより、それぞれの視聴データ提供装置４０Ｆの視聴傾向をサーバ２０Ｇで解析することができ、ある視聴データ提供装置に対し、他の視聴データ提供装置において視聴された番組などの情報を通知することで、番組の利用を促すことができる。
【０３０９】
（３１）別の実施の形態に従うと、上記（２２）において、視聴データ提供装置４０Ｆの視聴データ送信部４７５は、視聴データ４６４と、ユーザの識別情報とをサーバ２０Ｈへ送信するよう構成されている。サーバ２０Ｈの通信部２０２は、複数の視聴データ提供装置４０Ｆから、視聴データ４６４と、ユーザの識別情報とを受信するように構成されている。制御部２０７は、ユーザの識別情報と、視聴データ４６４とを対応付けて記憶する。さらに、１以上のユーザの視聴データ２６３Ｚに基づいて、ユーザの番組の視聴傾向を解析し、解析された視聴傾向に基づいて、各視聴データ提供装置４０Ｆに対し、視聴すべき番組の情報を通知するリコメンド情報配信部２７８を含む。
【０３１０】
これにより、それぞれのユーザの視聴傾向をサーバ２０Ｇで解析することができ、あるユーザに対し、他のユーザにおいて視聴された番組などの情報を通知することで、ユーザ間でのコミュニケ―ションおよび番組の利用を促すことができる。
【０３１１】
（３２）上記（３１）において、サーバ２０Ｈの通信部２０２は、各ユーザの通信装置または視聴データ提供装置４０Ｆの少なくともいずれかから、他のユーザの識別情報を指定した指定情報を受信する。サーバ２０Ｈの記憶部２０６は、ユーザそれぞれが指定した指定情報をユーザ管理情報２８３として記憶する。リコメンド情報配信部２７８は、ユーザの識別情報に基づいて、ユーザの番組の視聴傾向を解析し、解析された視聴傾向に基づいて、視聴すべき番組の情報を、ユーザが指定情報により指定したユーザの無線通信装置１０Ｈまたは視聴データ提供装置４０Ｆの少なくともいずれかへ通知する。
【０３１２】
これにより、あるユーザに対し、ユーザ同士で指定した、他のユーザの視聴傾向に基づいて、あるユーザに対し、視聴を提案する情報が送信される。
【０３１３】
（３３）上記（３１）において、サーバ２０Ｈの通信部２０２は、各ユーザの無線通信装置１０Ｈまたは視聴データ提供装置４０Ｆの少なくともいずれかから、放送番組についてのメッセージ情報を受信する。サーバ２０Ｈの制御部２０７は、ユーザの識別情報と、視聴データ４６４とを対応付けて記憶し、各ユーザのメッセージ情報を記憶するよう構成されている。
【０３１４】
これにより、ユーザ間でのコミュニケーションを支援しつつ、サーバ２０Ｈにおいて、ユーザ間のメッセージの送受信の履歴を保持することができる。例えば、ユーザに対しては、サーバ２０Ｈに接続することにより、過去に他のユーザと送受信したメッセージを受信することができ、ユーザにとっては、複数の端末を使用して、いずれの端末でも他のユーザとのメッセージを同期させることができる。
【０３１５】
（３４）上記（３３）において、サーバ２０Ｈのリコメンド情報配信部２７８は、１以上のユーザのメッセージ情報に基づいて、ユーザの番組の視聴傾向を解析し、解析された視聴傾向に基づいて、各視聴データ提供装置４０Ｆまたは各ユーザの通信装置の少なくともいずれかに対し、視聴すべき番組の情報を通知する。
【０３１６】
これにより、ユーザ間でのコミュニケーションを支援することにより、コンテンツの視聴を提案する情報が送受信され、コンテンツの利用を促すことができる。
【０３１７】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０３１８】
１０１Ａ，１０１Ｂ  アンテナ、１０２Ａ  放送波受信部、１０２Ｂ，１０２Ｃ  無線通信部、１０３  入力操作受付部、１０４  ディスプレイ、１０５  スピーカ、１０６  記憶部、１０７  制御部、１７１  放送受信再生部、１７２  操作情報送信部、１７３  通信コンテンツ受信再生部、１７４  視聴判断処理部、１７５  視聴データ送信部、１７６  機器発見処理部、１７７  連携操作処理部、１７８  メッセージ送受信部、２０２  通信部、２０６  記憶部、２６１  機器操作情報、２６２  視聴チャネル情報、２６３，２６３Ｚ  視聴データ、２６４  番組表情報、２６５  視聴割合データ、２６６  番組視聴状況データ、２６７  番組リコメンド情報、２０７  制御部、２７１  ストリームデータ送信部、２７２  アプリケーション送信部、２７３  操作情報受信部、２７４  視聴判断処理部、２７５  データ解析配信部、２７６  視聴データ受信部、２７７  リコメンド情報生成部、２７８  リコメンド情報配信部、２７９  メッセージング処理部、２０８  データ保持部、２８１  通信コンテンツ、２８２  連動アプリケーション、２８３  ユーザ管理情報、２８４  メッセージデータ、４０１Ａ，４０１Ｂ  アンテナ、４０３  入力操作受付部、４０４  ディスプレイ、４０５  スピーカ、４０６  記憶部、４６１  装置識別情報、４６２  連動アプリケーション、４６３  機器操作情報、４６４  視聴データ、４０７  制御部、４７１  放送受信再生部、４７２  端末連携処理部、４７３  通信コンテンツ受信再生部、４７４  視聴判断処理部、４７５  視聴データ送信部、４７６  操作情報送信部、４０８  通信インターフェース、４０９  入出力インターフェース、１０  無線通信装置、１１  無線通信装置、２０  サーバ、３０  ブロードバンドルータ、４０  視聴データ提供装置、４０Ｅ  操作情報提供装置、５０  ＴＶ放送表示装置、９０  通信網、９１  放送送信所、９２  無線基地局、９３  放送局、９５  番組製作会社。
【図１】
2016066924.tif 000003
【図２】
2016066924.tif 000004
【図３】
2016066924.tif 000005
【図４】
2016066924.tif 000006
【図５】
2016066924.tif 000007
【図６】
2016066924.tif 000008
【図７】
2016066924.tif 000009
【図８】
2016066924.tif 000010
【図９】
2016066924.tif 000011
【図１０】
2016066924.tif 000012
【図１１】
2016066924.tif 000013
【図１２】
2016066924.tif 000014
【図１３】
2016066924.tif 000015
【図１４】
2016066924.tif 000016
【図１５】
2016066924.tif 000017
【図１６】
2016066924.tif 000018
【図１７】
2016066924.tif 000019
【図１８】
2016066924.tif 000020
【図１９】
2016066924.tif 000021
【図２０】
2016066924.tif 000022
【図２１】
2016066924.tif 000023
【図２２】
2016066924.tif 000024
【図２３】
2016066924.tif 000025
【図２４】
2016066924.tif 000026
【図２５】
2016066924.tif 000027
【図２６】
2016066924.tif 000028
【図２７】
2016066924.tif 000029
【図２８】
2016066924.tif 000030
【図２９】
2016066924.tif 000031
【図３０】
2016066924.tif 000032
【図３１】
2016066924.tif 000033
【図３２】
2016066924.tif 000034
【図３３】
2016066924.tif 000035
【図３４】
2016066924.tif 000036
【図３５】
2016066924.tif 000037
【図３６】
2016066924.tif 000038
【図３７】
2016066924.tif 000039
【図３８】
2016066924.tif 000040
【図３９】
2016066924.tif 000041
【図４０】
2016066924.tif 000042
【図４１】
2016066924.tif 000043
【図４２】
2016066924.tif 000044
【図４３】
2016066924.tif 000045